(57)【要約】【課題】ディスクの記録データの最低読み出しレート情報に基づいて、ディスクの回転速度制御、およびデータ再生処理制御を行なう。【解決手段】ディスクからのデータ再生を実行する再生装置が、ディスクに記録された最低読み出しレート情報を読み取り、最低読み出しレート以上のレートでデータ読み出しが可能となるようにディスク回転速度を制御し、最低読み出しレート以上で、データ読み出しを実行する。例えば、ディスク記録データ全体に対応する最低読み出しレート情報、あるいはタイトル単位の最低読み出しレート情報を取得して、取得した最低読み出しレート情報に基づいてディスク記録データ全体、またはタイトル単位のディスク回転速度および再生制御を実行する。【選択図】図９
2016085771.tif 000002
【特許請求の範囲】
【請求項１】
ディスク記録データの再生処理を実行するデータ処理部を有し、
前記データ処理部は、
ディスクに記録された最低読み出しレート情報を読み取り、
前記最低読み出しレート以上のレートでデータ読み出しが可能となるようにディスク回転速度を制御し、
前記最低読み出しレート以上で、データ読み出しを実行する情報処理装置。
【請求項２】
前記ディスクに記録された最低読み出しレートは、
前記ディスクの記録データ全体に対応する最低読み出しレートであり、
前記データ処理部は、
前記ディスクに記録された全データの再生において、
前記最低読み出しレート以上のレートでデータ読み出しが可能となるようにディスク回転速度を制御し、
前記最低読み出しレート以上で、データ読み出しを実行する請求項１に記載の情報処理装置。
【請求項３】
前記データ処理部は、
前記ディスクの記録データ全体に対応する最低読み出しレート情報を、
ディスクに記録されたインテックステーブルから取得する請求項２に記載の情報処理装置。
【請求項４】
前記データ処理部は、
前記ディスクの記録データ全体に対応する最低読み出しレート情報を、
ディスクに記録されたインテックステーブルのリザーブ領域、または拡張データ記録領域から取得する請求項２に記載の情報処理装置。
【請求項５】
前記ディスクに記録された最低読み出しレートは、
前記ディスクの記録データに含まれる各タイトル対応のコンテンツ固有のタイトル対応最低読み出しレートであり、
前記データ処理部は、
前記ディスクから特定のタイトルを指定してタイトル対応コンテンツを再生する場合、
再生タイトル固有のタイトル対応最低読み出しレートを取得し、
取得した再生タイトル固有のタイトル対応最低読み出しレート以上のレートでデータ読み出しが可能となるようにディスク回転速度を制御し、
前記最低読み出しレート以上で、タイトル対応コンテンツの読み出しを実行する請求項１に記載の情報処理装置。
【請求項６】
前記データ処理部は、
前記タイトル対応最低読み出しレート情報を、
ディスクに記録されたインテックステーブルから取得する請求項５に記載の情報処理装置。
【請求項７】
前記データ処理部は、
前記タイトル対応最低読み出しレート情報を、
ディスクに記録されたプレイリストファイルのリザーブ領域、または拡張データ記録領域から取得する請求項５に記載の情報処理装置。
【請求項８】
ディスク製造処理におけるデータ処理を実行するデータ処理部を有し、
前記データ処理部は、
製造ディスクに対する記録データに含まれる最低読み出しレート情報を読み取り、
読み取った最低読み出しレート情報に応じて、該最低読み出しレート以上のレートでデータ読み出しが可能となるようにディスク回転速度を制御し、
前記最低読み出しレート以上で、データを読み出す記録データ再生試験を実行する情報処理装置。
【請求項９】
前記ディスクに記録される最低読み出しレートは、
前記ディスクの記録データ全体に対応する最低読み出しレートであり、
前記データ処理部は、
前記ディスクに記録した全データの再生試験において、
前記最低読み出しレート以上のレートでデータ読み出しが可能となるようにディスク回転速度を制御し、
前記最低読み出しレート以上で、データを読み出す記録データ再生試験を実行する請求項８に記載の情報処理装置。
【請求項１０】
前記ディスクに記録された最低読み出しレートは、
前記ディスクの記録データに含まれる各タイトル対応のコンテンツ固有のタイトル対応最低読み出しレートであり、
前記データ処理部は、
前記ディスクに記録した特定のタイトル対応コンテンツの再生試験において、
再生タイトル固有のタイトル対応最低読み出しレートを取得し、
取得した再生タイトル固有のタイトル対応最低読み出しレート以上のレートでデータ読み出しが可能となるようにディスク回転速度を制御し、
前記最低読み出しレート以上で、タイトル対応コンテンツを読み出す記録データ再生試験を実行する請求項８に記載の情報処理装置。
【請求項１１】
再生対象データと、
前記再生対象データに対応した管理データを記録データとして格納し、
前記管理データには、
ディスクに記録されたデータに対応する最低読み出しレート情報を含み、
前記ディスクからのデータ再生処理を実行する再生装置が、
ディスクから前記最低読み出しレートを取得し、
前記最低読み出しレート以上のレートでデータ読み出しが可能となるようにディスク回転速度を制御し、
前記最低読み出しレート以上で、データ読み出しを実行することを可能とした情報記録媒体。
【請求項１２】
情報処理装置において実行する情報処理方法であり、
前記情報処理装置は、ディスク記録データの再生処理を実行するデータ処理部を有し、
前記データ処理部は、
ディスクに記録された最低読み出しレート情報を読み取り、
前記最低読み出しレート以上のレートでデータ読み出しが可能となるようにディスク回転速度を制御し、
前記最低読み出しレート以上で、データ読み出しを実行する情報処理方法。
【請求項１３】
情報処理装置において情報処理を実行させるプログラムであり、
前記情報処理装置は、ディスク記録データの再生処理を実行するデータ処理部を有し、
前記プログラムは、前記データ処理部に、
ディスクに記録された最低読み出しレート情報を読み取る処理と、
前記最低読み出しレート以上のレートでデータ読み出しが可能となるようにディスク回転速度を制御する処理と、
前記最低読み出しレート以上でのデータ読み出し処理を実行させるプログラム。
【発明の詳細な説明】
【技術分野】
【０００１】
本開示は、情報処理装置、情報記録媒体、および情報処理方法、並びにプログラムに関する。さらに詳細には、ディスク記録データの再生に必要となる読み出しレートをディスクから取得可能とし、ディスクから取得した読み出しレートに基づく再生制御を可能とする情報処理装置、情報記録媒体、および情報処理方法、並びにプログラムに関する。
【背景技術】
【０００２】
映画や音楽等、様々なコンテンツを記録する情報記録媒体（メディア）として、ＤＶＤ（Ｄｉｇｉｔａｌ  Ｖｅｒｓａｔｉｌｅ  Ｄｉｓｃ）や、ＢＤ（Ｂｌｕ−ｒａｙ（登録商標）  Ｄｉｓｃ）が多く利用されている。
【０００３】
映画などのコンテンツを予め記録したメディアであるＢＤ−ＲＯＭの現行の物理規格には、データ記録態様の規定として線速度一定（ＣＬＶ：Ｃｏｎｓｔａｎｔ  Ｌｉｎｅａｒ  Ｖｅｌｏｃｉｔｙ）の規定がある。すなわち、ディスクのデータ記録密度を内周〜外周の全領域に渡って一定とする線速度一定（ＣＬＶ）の記録を行うように規定されている。
【０００４】
しかし、例えばディスクからのデータ再生処理において、線速度が大きいほどＢＤ−ＲＯＭドライブから発生する騒音や発熱は大きくなる。
従って、騒音や発熱を低減させるためには、再生処理に必要な最低限の線速に減速して再生する制御が有効である。
【０００５】
また、ＢＤ−ＲＯＭ規格では、物理メディアからの最低読み出しレート（ＲＵＤ）を、コンテンツの種類に応じて規定している。
具体的には、２次元（２Ｄ）画像コンテンツを再生する場合の最低読み出しレート（ＲＵＤ）は５４Ｍｂｐｓ、３次元（３Ｄ）画像コンテンツを再生する場合の最低読み出しレート（ＲＵＤ）は７２Ｍｂｐｓとする規定がある。
【０００６】
このように、２Ｄコンテンツと３Ｄコンテンツとで２種類の読み出しレートを規定しているが、実際には、必要となる最低読み出しレートはコンテンツによって異なっているのが現状である。
すなわち、２Ｄコンテンツの中には、５４Ｍｂｐｓ以下の読み出しレート、例えば２０Ｍｂｐｓの読み出しレートで再生可能なコンテンツが多数ある。
また、３Ｄコンテンツにも、７２Ｍｂｐｓ以下の読み出しレートで再生可能なコンテンツが多数、存在する。
【０００７】
このようにディスクの記録コンテンツの再生処理に必要な読み出しレートが規定値（２Ｄ＝５４Ｍｂｐｓ，３Ｄ＝７２Ｍｂｐｓ）より小さい場合でも、ＢＤ再生装置は、ディスク記録コンテンツの再生に必要な最低読み出しレートを把握できないため、規格に従ってデータ読み出し処理を実行せざる得ない。
すなわち、ディスクの記録コンテンツが、２Ｄコンテンツである場合は５４Ｍｂｐｓ以上の読み出しレートで読み出し処理を実行する。
また、ディスクの記録コンテンツが、３Ｄコンテンツである場合は７２Ｍｂｐｓ以上の読み出しレートで読み出し処理を実行する。
【０００８】
このため、再生装置は、実際に必要となるレート以上の読み出しレートでデータ読み出しを行う場合が多くなり、これにより、再生装置のドライブから発生する騒音や発熱を必要以上に大きくしてしまうという問題が発生する。
【０００９】
現行のＢＤ−ＲＯＭは、主にＨＤ（Ｈｉｇｈ  Ｄｅｆｉｎｉｔｉｏｎ）画像、いわゆるハイビジョン対応の２Ｋ画像が記録されているものが多いが、今後、高画質化が進み、超高精細画像（ＵＨＤ：Ｕｌｔｒａ  Ｈｉｇｈ  Ｄｅｆｉｎｉｔｉｏｎ画像）である４Ｋ画像を記録したメディアが増加することが予想される。
【００１０】
４Ｋ画像等の超高精細画像（ＵＨＤ画像）は、ＨＤ画像である２Ｋ画像に比較し、単位時間当たりの処理データ量が増加する。その結果、ＢＤ等のディスクに対するデータ記録密度や、データ読み出しレートについても増加させることが必要となる。
これにより、さらに再生装置のドライブの騒音や発熱の問題が大きくなることが予想される。
【００１１】
ＢＤに対する超高精細画像（ＵＨＤ画像）のデータ記録態様について、現在、規格策定機関であるＢＤＡ（Ｂｌｕ−ｒａｙ（登録商標）  Ｄｉｓｃ  Ａｓｓｏｃｉａｔｉｏｎ）において規格化が進められている。
現在、策定中の規格として様々な異なるタイプのディスクを併用する案が有力となっている。
【００１２】
具体的には、以下の２つの異なるタイプのディスクの併用が提案されている。
（Ａ）ディスク外周領域と内周領域で異なる読み出しレートのデータ記録領域を設定した複数ゾーン設定ディスク
（Ｂ）ディスクの全ての領域で単一の読み出しレートのデータ記録領域を設定した単一ゾーン設定ディスク
これらの２つのタイプの各々について、さらに総記録容量を異ならせた様々なタイプのディスクを利用することについて規格化が進められている。
【００１３】
なお、データ再生におけるディスクからの読み出しレートと再生処理に関する説明を記載した従来技術として例えば特許文献１（特開２０１０−２５０９３９号公報）がある。
【先行技術文献】
【特許文献】
【００１４】
【特許文献１】特開２０１０−２５０９３９号公報
【発明の概要】
【発明が解決しようとする課題】
【００１５】
本開示は、ディスク記録データの再生に必要となる読み出しレートをディスクから取得可能とし、ディスクから取得した読み出しレートに基づく再生制御を可能とする情報処理装置、情報記録媒体、および情報処理方法、並びにプログラムを提供することを目的とする。
【課題を解決するための手段】
【００１６】
本開示の第１の側面は、
ディスク記録データの再生処理を実行するデータ処理部を有し、
前記データ処理部は、
ディスクに記録された最低読み出しレート情報を読み取り、
前記最低読み出しレート以上のレートでデータ読み出しが可能となるようにディスク回転速度を制御し、
前記最低読み出しレート以上で、データ読み出しを実行する情報処理装置にある。
【００１７】
さらに、本開示の第２の側面は、
ディスク製造処理におけるデータ処理を実行するデータ処理部を有し、
前記データ処理部は、
製造ディスクに対する記録データに含まれる最低読み出しレート情報を読み取り、
読み取った最低読み出しレート情報に応じて、該最低読み出しレート以上のレートでデータ読み出しが可能となるようにディスク回転速度を制御し、
前記最低読み出しレート以上で、データを読み出す記録データ再生試験を実行する情報処理装置にある。
【００１８】
さらに、本開示の第３の側面は、
再生対象データと、
前記再生対象データに対応した管理データを記録データとして格納し、
前記管理データには、
ディスクに記録されたデータに対応する最低読み出しレート情報を含み、
前記ディスクからのデータ再生処理を実行する再生装置が、
ディスクから前記最低読み出しレートを取得し、
前記最低読み出しレート以上のレートでデータ読み出しが可能となるようにディスク回転速度を制御し、
前記最低読み出しレート以上で、データ読み出しを実行することを可能とした情報記録媒体にある。
【００１９】
さらに、本開示の第４の側面は、
情報処理装置において実行する情報処理方法であり、
前記情報処理装置は、ディスク記録データの再生処理を実行するデータ処理部を有し、
前記データ処理部は、
ディスクに記録された最低読み出しレート情報を読み取り、
前記最低読み出しレート以上のレートでデータ読み出しが可能となるようにディスク回転速度を制御し、
前記最低読み出しレート以上で、データ読み出しを実行する情報処理方法にある。
【００２０】
さらに、本開示の第５の側面は、
情報処理装置において情報処理を実行させるプログラムであり、
前記情報処理装置は、ディスク記録データの再生処理を実行するデータ処理部を有し、
前記プログラムは、前記データ処理部に、
ディスクに記録された最低読み出しレート情報を読み取る処理と、
前記最低読み出しレート以上のレートでデータ読み出しが可能となるようにディスク回転速度を制御する処理と、
前記最低読み出しレート以上でのデータ読み出し処理を実行させるプログラムにある。
【００２１】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。
【００２２】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２３】
本開示の一実施例の構成によれば、ディスクの記録データの最低読み出しレート情報に基づいて、ディスクの回転速度制御、およびデータ再生処理制御を行なうことで、消費電力や騒音を低減した正常なコンテンツ再生が実現される。
具体的には、ディスクからのデータ再生を実行する再生装置が、ディスクに記録された最低読み出しレート情報を読み取り、最低読み出しレート以上のレートでデータ読み出しが可能となるようにディスク回転速度を制御し、最低読み出しレート以上で、データ読み出しを実行する。例えば、ディスク記録データ全体に対応する最低読み出しレート情報、あるいはタイトル単位の最低読み出しレート情報を取得して、取得した最低読み出しレート情報に基づいてディスク記録データ全体、またはタイトル単位のディスク回転速度および再生制御を実行する。
本構成に従って、最低読み出しレート情報に基づくディスクの回転速度制御、およびデータ再生処理制御を行なうことで、消費電力や騒音を低減した正常なコンテンツ再生が実現される。
なお、本明細書に記載された効果はあくまで例示であって限定されるものではなく、また付加的な効果があってもよい。
【図面の簡単な説明】
【００２４】
【図１】規格化が進められているディスクの構成例について説明する図である。
【図２】低読み出しレートゾーン（ＬＴＲ  ｚｏｎｅ）のみからなる単一ゾーン型ディスクと、低読み出しレートゾーン（ＬＴＲ  ｚｏｎｅ）と、高読み出しレートゾーン（ＨＴＲ  ｚｏｎｅ）を持つ複数ゾーン型ディスクの例について説明する図である。
【図３】ＢＤ（Ｂｌｕ−ｒａｙ（登録商標）  Ｄｉｓｃ）に記録されるデータの一構成例について説明する図である。
【図４】情報記録媒体（ディスク）に記録されるデータの対応関係と再生処理例について説明する図である。
【図５】３層構造のディスクを用いたデータの記録構成と再生処理例について説明する図である。
【図６】３層構造のディスクを用いたデータの記録構成と再生処理例について説明する図である。
【図７】３層構造のディスクを用いたデータの記録構成と再生処理例について説明する図である。
【図８】本開示の情報記録媒体（ディスク）に記録されたインデックスファイル内の記録データであるインデックステーブルのデータ構成例について説明する図である。
【図９】インデックステーブルのリザーブ領域に記録される最低読み出しレートの一例について説明する図である。
【図１０】インデックステーブルの拡張データ領域に記録される最低読み出しレートの一例について説明する図である。
【図１１】インデックステーブルの拡張データ領域に記録される最低読み出しレートの一例について説明する図である。
【図１２】インデックステーブルのタイトル対応情報記録領域に記録されるタイトル対応最低読み出しレートの一例について説明する図である。
【図１３】インデックステーブルのタイトル対応情報記録領域に記録されるタイトル対応最低読み出しレートの一例について説明する図である。
【図１４】インデックステーブルのタイトル対応情報記録領域に記録されるタイトル対応最低読み出しレートの一例について説明する図である。
【図１５】プレイリストファイルに記録されるタイトル対応最低読み出しレートの一例について説明する図である。
【図１６】プレイリストファイルに記録されるタイトル対応最低読み出しレートの一例について説明する図である。
【図１７】プレイリストファイルに記録されるタイトル対応最低読み出しレートの一例について説明する図である。
【図１８】プレイリストファイルに記録されるタイトル対応最低読み出しレートの一例について説明する図である。
【図１９】ディスクに記録されたコンテンツを再生する情報処理装置（再生装置）が実行する処理シーケンスを説明するフローチャートを示す図である。
【図２０】ディスクに記録されたコンテンツを再生する情報処理装置（再生装置）が実行する処理シーケンスを説明するフローチャートを示す図である。
【図２１】ディスク製造装置において実行する処理シーケンスについて説明するフローチャートを示す図である。
【図２２】ディスクの再生装置、記録装置、あるいは情報記録媒体製造装置として適用可能な情報処理装置のハードウェア構成例について説明する図である。
【発明を実施するための形態】
【００２５】
以下、図面を参照しながら本開示の情報処理装置、情報記録媒体、および情報処理方法、並びにプログラムの詳細について説明する。なお、説明は以下の項目に従って行なう。
１．超高精細（ＵＨＤ：Ｕｌｔｒａ  Ｈｉｇｈ  Ｄｅｆｉｎｔｉｏｎ）画像対応のディスク構成例について
２．ディスクの記録データと再生処理例について
３．複数層（レイヤ）構造を持つディスクのデータ記録構成と再生処理例について
４．ディスクに最低読み出しレート情報を記録した実施例について
４−１．（実施例１）ディスク全体の記録データの読み出しに必要となる最低読み出しレートをディスクに記録した実施例
４−１ａ．（実施例１ａ）ディスク全体の記録データの読み出しに必要となる最低読み出しレートをインデックステーブルのリザーブ領域に記録した実施例
４−１ｂ．（実施例１ｂ）ディスク全体の記録データの読み出しに必要となる最低読み出しレートをインデックステーブルの拡張データ記録領域に記録した実施例
４−２．（実施例２）ディスク記録コンテンツについて、コンテンツ対応のタイトル単位の最低読み出しレートをディスクに記録した実施例
４−２ａ．（実施例２ａ）ディスク記録コンテンツについて、コンテンツ対応のタイトル単位の最低読み出しレートをインデックステーブルのタイトル対応情報記録領域に記録した実施例
４−２ｂ．（実施例２ｂ）ディスク記録コンテンツについて、コンテンツ対応のタイトル単位の最低読み出しレートをプレイリストファイルに記録した実施例
４−２ｃ．（実施例２ｃ）ディスク記録コンテンツについて、コンテンツ対応のタイトル単位の最低読み出しレートをプレイリストファイルの拡張データ記録領域に記録した実施例
４−３．（実施例３）ディスク全体の記録データの読み出しに必要となる最低読み出しレートと、タイトル単位の最低読み出しレートの双方をディスクに記録した実施例（＝実施例１＋２）
５．コンテンツ再生制御シーケンスについて
６．ディスクに対するデータ記録処理およびディスク製造処理について
７．情報処理装置の構成例について
８．本開示の構成のまとめ
【００２６】
［１．超高精細（ＵＨＤ：Ｕｌｔｒａ  Ｈｉｇｈ  Ｄｅｆｉｎｔｉｏｎ）画像対応のディスク構成例について］
まず、超高精細（ＵＨＤ：Ｕｌｔｒａ  Ｈｉｇｈ  Ｄｅｆｉｎｔｉｏｎ）画像対応のディスク構成例について説明する。
先に説明したように、ＢＤ（Ｂｌｕ−ｒａｙ（登録商標）  Ｄｉｓｃ）の超高精細画像（ＵＨＤ画像）データ記録態様については、現在、ＢＤＡ（Ｂｌｕ−ｒａｙ（登録商標）  Ｄｉｓｃ  Ａｓｓｏｃｉａｔｉｏｎ）において規格化が進められている。
現在、策定中の規格においては、様々な異なるタイプのディスクを併用する案が有力となっている。
【００２７】
具体的には、以下の２つの異なるタイプのディスクを併用する案が有力である。
（Ａ）ディスク外周領域と内周領域で異なる読み出しレートのデータ記録領域を設定した複数ゾーン設定ディスク
（Ｂ）ディスクの全ての領域で単一の読み出しレートのデータ記録領域を設定した単一ゾーン設定ディスク
【００２８】
図１を参照して、規格化が進められているディスクの構成例について説明する。
図１は、現在、規格として認められつつある（１）〜（５）の５つのタイプのディスク構成例を説明する図である。
（１）〜（５）の５つのタイプの各々について、以下の（ａ）〜（ｅ）の各データを示している。
（ａ）ディスク総容量とＬＴＲ（Ｌｏｗ  Ｔｒａｎｓｆｅｒ  Ｒａｔｅ）ゾーン割合（Ｄｉｓｃ  Ｔｙｐｅ  ＆  ＬＴＲ  ｒａｔｉｏ）
（ｂ）低読み出しレートゾーン容量（ＬＴＲ  ｓｉｚｅ）（ＧＢ）
（ｃ）高読み出しレートゾーン容量（ＨＴＲ  ｓｉｚｅ）（ＧＢ）
（ｄ）ＬＴＲゾーン最大読み出しレート（ＬＴＲ  ｍａｘ  Ｔｒａｎｓｆｅｒ  Ｒａｔｅ）（Ｍｂｐｓ）
（ｅ）ＨＴＲ（Ｈｉｇｈ  Ｔｒａｎｓｆｅｒ  Ｒａｔｅ）ゾーン最大読み出しレート（ＨＴＲ  ｍａｘ  Ｔｒａｎｓｆｅｒ  Ｒａｔｅ）（Ｍｂｐｓ）
【００２９】
なお、ＬＴＲ（Ｌｏｗ  Ｔｒａｎｓｆｅｒ  Ｒａｔｅ）ゾーンは、ディスクのデータ記録面の一部または全体に設定される領域であり、相対的に低い読み出しレートでデータ読み出しが行われるディスク領域（ゾーン）である。
また、ＨＴＲ（Ｈｉｇｈ  Ｔｒａｎｓｆｅｒ  Ｒａｔｅ）ゾーンは、ディスクのデータ記録面の一部または全体に設定される領域であり、相対的に高い読み出しレートでデータ読み出しが行われるディスク領域（ゾーン）である。
【００３０】
図１の（ｄ），（ｅ）に示すように、ＬＴＲゾーンにおける最大読み出しレートは、９２Ｍｂｐｓ、または１２２Ｍｂｐｓとなる。
また、ＨＴＲゾーンにおける最大読み出しレートは１２８Ｍｂｐｓとなる。
なお、これら（１）〜（５）のディスクは、いずれもデータ記録再生時には約５０００ｒｐｍの回転速度で回転する。
【００３１】
ディスク（１）は、以下の構成を持つディスクである。
（ａ）ディスク総容量＝５０ＧＢ、ＬＴＲ（低読み出しレート）ゾーン割合＝１００％の単一ゾーン型２層型ディスク
（ｂ）低読み出しレートゾーン容量（ＬＴＲ  ｓｉｚｅ）＝５０ＧＢ
（ｃ）高読み出しレートゾーン容量（ＨＴＲ  ｓｉｚｅ）＝０ＧＢ
（ｄ）ＬＴＲ（低読み出しレート）ゾーン最大読み出しレート（ＬＴＲ  ｍａｘ  Ｔｒａｎｓｆｅｒ  Ｒａｔｅ）＝９２Ｍｂｐｓ
【００３２】
ディスク（２）は、以下の構成を持つディスクである。
（ａ）ディスク総容量＝６６．７ＧＢ、ＬＴＲ（低読み出しレート）ゾーン割合＝１００％の単一ゾーン型２層型ディスク
（ｂ）低読み出しレートゾーン容量（ＬＴＲ  ｓｉｚｅ）＝６６．７ＧＢ
（ｃ）高読み出しレートゾーン容量（ＨＴＲ  ｓｉｚｅ）＝０ＧＢ
（ｄ）ＬＴＲ（低読み出しレート）ゾーン最大読み出しレート（ＬＴＲ  ｍａｘ  Ｔｒａｎｓｆｅｒ  Ｒａｔｅ）＝１２２Ｍｂｐｓ
【００３３】
ディスク（３）は、以下の構成を持つディスクである。
（ａ）ディスク総容量＝６６．７ＧＢ、ＬＴＲ（低読み出しレート）ゾーン割合＝７．８％の複数ゾーン型２層型ディスク
（ｂ）低読み出しレートゾーン容量（ＬＴＲ  ｓｉｚｅ）＝５．２ＧＢ
（ｃ）高読み出しレートゾーン容量（ＨＴＲ  ｓｉｚｅ）＝６１．５ＧＢ
（ｄ）ＬＴＲ（低読み出しレート）ゾーン最大読み出しレート（ＬＴＲ  ｍａｘ  Ｔｒａｎｓｆｅｒ  Ｒａｔｅ）＝１２２Ｍｂｐｓ
（ｅ）ＨＴＲ（高読み出しレート）ゾーン最大読み出しレート（ＨＴＲ  ｍａｘ  Ｔｒａｎｓｆｅｒ  Ｒａｔｅ）＝１４４Ｍｂｐｓ
【００３４】
ディスク（４）は、以下の構成を持つディスクである。
（ａ）ディスク総容量＝１００ＧＢ、ＬＴＲ（低読み出しレート）ゾーン割合＝１００％の単一ゾーン型３層型ディスク
（ｂ）低読み出しレートゾーン容量（ＬＴＲ  ｓｉｚｅ）＝１００ＧＢ
（ｃ）高読み出しレートゾーン容量（ＨＴＲ  ｓｉｚｅ）＝０ＧＢ
（ｄ）ＬＴＲ（低読み出しレート）ゾーン最大読み出しレート（ＬＴＲ  ｍａｘ  Ｔｒａｎｓｆｅｒ  Ｒａｔｅ）＝１２２Ｍｂｐｓ
【００３５】
ディスク（５）は、以下の構成を持つディスクである。
（ａ）ディスク総容量＝１００ＧＢ、ＬＴＲ（低読み出しレート）ゾーン割合＝７．８％の複数ゾーン型３層型ディスク
（ｂ）低読み出しレートゾーン容量（ＬＴＲ  ｓｉｚｅ）＝７．８ＧＢ
（ｃ）高読み出しレートゾーン容量（ＨＴＲ  ｓｉｚｅ）＝９２．２ＧＢ
（ｄ）ＬＴＲ（低読み出しレート）ゾーン最大読み出しレート（ＬＴＲ  ｍａｘ  Ｔｒａｎｓｆｅｒ  Ｒａｔｅ）＝１２２Ｍｂｐｓ
（ｅ）ＨＴＲ（高読み出しレート）ゾーン最大読み出しレート（ＨＴＲ  ｍａｘ  Ｔｒａｎｓｆｅｒ  Ｒａｔｅ）＝１４４Ｍｂｐｓ
【００３６】
このように、超高精細（ＵＨＤ：Ｕｌｔｒａ  Ｈｉｇｈ  Ｄｅｆｉｎｔｉｏｎ）画像対応のディスクとして規格化が進められているディスクの構成として、図１に示す（１）〜（５）の５つのタイプのディスクの規格化が進められている。
【００３７】
図１（１），（２），（４）に示す低読み出しレートゾーン（ＬＴＲ  ｚｏｎｅ）のみからなる単一ゾーン型ディスクと、図１（３），（５）に示す低読み出しレートゾーン（ＬＴＲ  ｚｏｎｅ）と、高読み出しレートゾーン（ＨＴＲ  ｚｏｎｅ）を持つ複数ゾーン型ディスクの例について、図２を参照して説明する。
【００３８】
図２（Ａ）は、図１（１），（２），（４）に示す低読み出しレートゾーン（ＬＴＲ  ｚｏｎｅ）のみからなる単一ゾーン型ディスクの構成例を示している。
図２（Ｂ）は、図１（３），（５）に示す低読み出しレートゾーン（ＬＴＲ  ｚｏｎｅ）と、高読み出しレートゾーン（ＨＴＲ  ｚｏｎｅ）を持つ複数ゾーン型ディスクの構成例を示している。
【００３９】
図２（Ａ）に示す単一ゾーン型ディスクは、ディスクのデータ記録面全体が、低読み出しレートゾーン（ＬＴＲ  ｚｏｎｅ）１１１によって構成される。
図１（１）の５０ＧＢディスクの場合、データ再生を実行する情報処理装置（再生装置）は、最大読み出しレート＝９２Ｍｂｐｓのデータ読み出しを行うことで、超高精細（ＵＨＤ）画像の再生を行なうことができる。
また、図１（２）の６６．７ＧＢディスク、または（４）の１００ＧＢディスクの場合、データ再生を実行する情報処理装置（再生装置）は、最大読み出しレート＝１２２Ｍｂｐｓのデータ読み出しを行うことで、超高精細（ＵＨＤ）画像の再生を行なうことができる。
【００４０】
図２（Ｂ）に示す複数ゾーン型ディスクは、ディスクのデータ記録面の内周部に低読み出しレートゾーン（ＬＴＲ  ｚｏｎｅ）１２１が設定され、外周部に高読み出しレートゾーン（ＨＴＲ  ｚｏｎｅ）１２２が設定されたディスクである。
【００４１】
ディスクが一定速度、例えば５０００ｒｐｍで回転する場合、データ再生を実行する情報処理装置（再生装置）は、ディスク内周部に比較して外周部の方がより長いデータ記録領域からデータ読み取りを行うことが可能となる。すなわち、読み出しレートを高く設定することが可能となる。
ディスク内周部では、単位時間当たりのデータ読み出し可能な長さが外周部に比較して短くなるため、読み出しレートが低下し、高いレートでのデータ読み出しが困難になる。
一方、ディスク外周部では、単位時間当たりのデータ読み出し可能な長さが内周部に比較して長くなるため、読み出しレートを上昇させることが可能となり、高いレートでのデータ読み出しが実現される。
これが、ディスク外周部にのみ、高読み出しレートゾーン（ＨＴＲ  ｚｏｎｅ）を設定している理由である。
【００４２】
図２（Ｂ）のように、高読み出しレート領域（ＨＴＲ  ｚｏｎｅ）１２２を設定することで、ディスクのデータ記録総容量を大きくすることが可能となり、長時間の超高精細（ＵＨＤ）画像の記録が可能となる。
【００４３】
図１（３）の６６．７ＧＢディスク、または（５）の１００ＧＢディスクの場合、データ再生を実行する情報処理装置（再生装置）は、各ゾーンにおいて、最大読み出しレートが異なる設定でデータ読み出しを実行する。すなわち、
ディスク内周部の低読み出しレートゾーン（ＬＴＲ  ｚｏｎｅ）では、最大読み出しレート＝１２２Ｍｂｐｓのデータ読み出しを行う。
また、ディスク外周部の高読み出しレートゾーン（ＨＴＲ  ｚｏｎｅ）では、最大読み出しレート＝１４４Ｍｂｐｓのデータ読み出しを行う。
【００４４】
［２．ディスクの記録データと再生処理例について］
ディスクには、再生対象データとなる画像、音声、字幕等のデータの他、これらの再生処理に適用する再生制御情報ファイル、管理情報ファイル等、様々なデータが記録される。
例えば、映画等のコンテンツを記録したディスクには、再生対象データとなる画像、音声、字幕等のデータを格納したＴＳ（Ｔｒａｎｓｐｏｒｔ  Ｓｔｒｅａｍ）パケットによって構成されるクリップＡＶストリームファイルが記録される。
【００４５】
さらに、クリップＡＶストリームファイルに対応して設定される制御ファイルであるクリップ情報ファイルや、プレイリストファイル、さらに、再生プログラムを格納したムービーオブジェクトファイル、コンテンツタイトル情報等を記録したインデックスファイル、さらにコンテンツの復号に適用する鍵を格納した暗号鍵ファイル、その他の様々な管理情報ファイルが記録される。
【００４６】
図３を参照して、ＢＤ（Ｂｌｕ−ｒａｙ（登録商標）  Ｄｉｓｃ）に記録されるデータの一構成例について説明する。
図３は、例えばＲＯＭ型ＢＤであるＢＤ−ＲＯＭとしての情報記録媒体（ディスク）２００に記録されたＢＤＭＶフォーマットに従った記録データのディレクトリを示す図である。
【００４７】
ディレクトリは図３に示すように管理情報設定部２０１（ＡＡＣＳディレクトリ）と、データ部２０２（ＢＤＭＶディレクトリ）に分離されている。
管理情報設定部２０１（ＡＡＣＳディレクトリ）には、データの暗号化鍵であるＣＰＳユニットキーファイルや利用制御情報ファイルなどが格納される。
【００４８】
一方、データ部２０２のＢＤＭＶディレクトリ以下には、
インデックスファイル、
ムービーオブジェクトファイル、
プレイリストファイル、
クリップ情報ファイル、
クリップＡＶストリームファイル、
ＢＤＪＯファイル、
例えば、これらのファイルが記録される。
【００４９】
インデックスファイルには、再生処理に適用するインデックス情報としてのタイトル情報などが格納される。
ムービーオブジェクトファイルは、タイトルによって指定される再生プログラムを格納している。
プレイリストファイルは、タイトルによって指定される再生プログラムのプログラム情報に従ったコンテンツの再生順等を規定したファイルであり、再生位置情報を持クリップ情報に対する指定情報を有する。
クリップ情報ファイルは、プレイリストファイルによつて指定されるファイルであり、クリップＡＶストリームファイルの再生位置情報等を有する。
クリップＡＶストリームファイルは、再生対象となるＡＶストリームデータを格納したファイルである。
ＢＤＪＯファイルは、ＪＡＶＡ（登録商標）プログラム、コマンド等を格納したファイルの実行制御情報を格納したファイルである。
【００５０】
情報処理装置が情報記録媒体に記録されたコンテンツを再生するシーケンスは以下の通りである。
（ａ）まず、再生アプリケーションによってインデックスファイルから特定のタイトルを指定する。
（ｂ）指定されたタイトルに関連付けられた再生プログラムが選択される。
（ｃ）選択された再生プログラムのプログラム情報に従ってコンテンツの再生順等を規定したプレイリストが選択される。
（ｄ）選択されたプレイリストに規定されたクリップ情報によって、コンテンツ実データとしてのＡＶストリームあるいはコマンドが読み出されて、ＡＶストリームの再生や、コマンドの実行処理が行われる。
【００５１】
図４は、情報記録媒体（ディスク）２００に記録される以下のデータ、すなわち、
プレイリストファイル、
クリップ情報ファイル、
クリップＡＶストリームファイル、
これらのデータの対応関係を説明する図である。
【００５２】
実際の再生対象データである画像と音声データからなるＡＶストリームはクリップＡＶストリーム（Ｃｌｉｐ  ＡＶ  Ｓｔｒｅａｍ）ファイルとして記録され、さらに、これらのＡＶストリームの管理情報、再生制御情報ファイルとして、プレイリスト（ＰｌａｙＬｉｓｔ）ファイルと、クリップ情報（Ｃｌｉｐ  Ｉｎｆｏｒｍａｔｉｏｎ）ファイルが規定される。
【００５３】
これら複数のカテゴリのファイルは、図４に示すように、
プレイリスト（ＰｌａｙＬｉｓｔ）ファイルを含むプレイリストレイヤ、
クリップＡＶストリーム（Ｃｌｉｐ  ＡＶ  Ｓｔｒｅａｍ）ファイルと、クリップ情報（Ｃｌｉｐ  Ｉｎｆｏｒｍａｔｉｏｎ）ファイルからなるクリップレイヤ、
これらの２つのレイヤに区分できる。
【００５４】
なお、一つのクリップＡＶストリーム（Ｃｌｉｐ  ＡＶ  Ｓｔｒｅａｍ）ファイルには一つのクリップ情報（Ｃｌｉｐ  Ｉｎｆｏｒｍａｔｉｏｎ）ファイルが対応付けられ、これらのペアを一つのオブジェクトと考え、これらをまとめてクリップ（Ｃｌｉｐ）と呼ぶ場合もある。
クリップＡＶストリームファイルに含まれるデータの詳細情報、例えばＭＰＥＧデータのＩピクチャ位置情報などを記録したＥＰマップなどの管理情報がクリップ情報ファイルに記録される。
【００５５】
クリップＡＶストリーム（Ｃｌｉｐ  ＡＶ  Ｓｔｒｅａｍ）ファイルは、ＭＰＥＧ−２ＴＳ（トランスポートストリーム）をＢＤＭＶフォーマットの規定構造に従って配置したデータを格納している。
【００５６】
また、クリップ情報（Ｃｌｉｐ  Ｉｎｆｏｒｍａｔｉｏｎ）ファイルには、例えば、クリップＡＶストリームファイルのバイト列データのデータ位置と、時間軸上に展開した場合の再生開始ポイントである（エントリポイント：ＥＰ）等の再生時間位置等の対応データ等、クリップＡＶストリームファイルの格納データの再生開始位置などを取得するための管理情報が格納される。
【００５７】
例えば、コンテンツの開始点からの再生時間経過位置を示すタイムスタンプが与えられた時、クリップ情報ファイルを参照して、クリップＡＶストリームファイルのデータ読み出し位置、すなわち再生開始点としてのアドレスを取得することが可能となる。
【００５８】
プレイリスト（ＰｌａｙＬｉｓｔ）ファイルは、クリップ（＝クリップ情報ファイル＋クリップＡＶストリームファイル）レイヤに含まれる再生可能データに対する再生区間の指定情報を有する。
プレイリスト（ＰｌａｙＬｉｓｔ）ファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
【００５９】
なお、再生対象となる画像や音声の実データを格納したクリップＡＶストリーム（Ｃｌｉｐ  ＡＶ  Ｓｔｒｅａｍ）ファイルは、ＭＰＥＧ−２トランスポートストリーム（ＴＳ：Ｔｒａｎｓｐｏｒｔ  ｓｔｒｅａｍ）ファイル構造を持つ。
【００６０】
［３．複数層（レイヤ）構造を持つディスクのデータ記録構成と再生処理例について］
先に説明した図１に示す（１）〜（５）のディスクはいずれも２層型、または３層型の複数層（レイヤ）構造のディスクである。
このような複数層型ディスクでは、例えば１つの映画コンテンツなど長時間コンテンツを、複数の層に順次、記録することができる。複数層に跨って記録されたコンテンツを再生する場合、再生装置は再生途中で異なる層へのジャンプ、すなわち、層間ジャンプを行うことが必要となる。
【００６１】
図５以下を参照して、３層構造のディスクを用いたデータの記録構成と再生処理例について説明する。
図５（Ａ）は、図１に示す（５）の１００ＧＢの複数ゾーン型３層ディスクの断面構造を示す図である。
上から第１層、第２層、第３層の３層構成を有する。
【００６２】
図５（Ａ）に示す３層構造の１００ＧＢディスクは、図１（５）に示す複数ソーン型３層ディスクであり、以下の構成を有する。
（ａ）ディスク総容量＝１００ＧＢ、ＬＴＲ（低読み出しレート）ゾーン割合＝７．８％の複数ゾーン型３層型ディスク
（ｂ）低読み出しレートゾーン容量（ＬＴＲ  ｓｉｚｅ）＝７．８ＧＢ
（ｃ）高読み出しレートゾーン容量（ＨＴＲ  ｓｉｚｅ）＝９２．２ＧＢ
（ｄ）ＬＴＲ（低読み出しレート）ゾーン最大読み出しレート（ＬＴＲ  ｍａｘ  Ｔｒａｎｓｆｅｒ  Ｒａｔｅ）＝１２２Ｍｂｐｓ
（ｅ）ＨＴＲ（高読み出しレート）ゾーン最大読み出しレート（ＨＴＲ  ｍａｘ  Ｔｒａｎｓｆｅｒ  Ｒａｔｅ）＝１４４Ｍｂｐｓ
【００６３】
図５（Ａ）に示すように、３層の各層は、ディスク内周部に低読み出しレートゾーン１２１を有し、外周部に高読み出しレートゾーン１２２を有している。
このように異なる読み出しレートゾーンの設定された３層型ディスクに１つの映画等のコンテンツを記録し、再生する場合の処理について説明する。
【００６４】
なお、コンテンツの記録方式としては様々な設定が可能である。図５に示す例は、読み出しレートゾーンの境界を考慮することなく、ディスク内周〜外周を全て使用して複数の層（レイヤ）に渡って再生データを記録した例である。
なお、再生データは、図３、図４を参照して説明したクリップＡＶストリームファイルに格納された画像、音声、字幕等のデータである。
このような設定で、再生データを記録すると、再生データの読み出し順は、図５（Ｂ）に示す論理セクタ設定順のようになる。
再生装置は、図５（Ｂ）に示すように異なる読み出しレートのゾーンを交互に読み出して再生を実行する必要が発生する。
【００６５】
図５（Ｂ）は左から右に論理セクタ（Ｌｏｇｉｃａｌ  Ｓｅｃｔｏｒ）順にデータを並べており、再生処理は、この論理セクタ順に実行される。
この図５に示す設定とした場合、再生装置は、読み出しレートが異なるゾーンからデータ読み出しを交互に実行することになり、読み出しレートの変更時に、データ処理アルゴリズムを切り替える必要がある。
【００６６】
再生装置にとって、このようなデータ処理切り替えは負担となる場合もある。
このようなデータ処理の切り替えを発生させないためのデータ記録および再生処理例について、図６を参照して説明する。
【００６７】
図６（Ａ）も、図５（Ａ）と同様、図１に示す（５）の１００ＧＢの複数ゾーン型３層ディスクの断面構造を示す図である。
上から第１層、第２層、第３層の３層構成を有する。
各層には、ディスク内周部に低読み出しレートゾーン１２１、外周部に高読み出しレートゾーン１２２が形成されたディスクである。
図６（Ａ）に示す３層の各層は、ディスク内周部に低読み出しレートゾーン１２１を有し、外周部に高読み出しレートゾーン１２２を有している。
【００６８】
このように異なる読み出しレートゾーンの設定された３層型ディスクに１つの映画等のコンテンツを記録し、再生する場合の処理について説明する。
図６に示す例は、高読み出しレートゾーン１２２のみを利用して１つのコンテンツ、例えば映画等の再生用データを記録した例を示している。
高読み出しレートゾーン１２２にクリップＡＶストリームファイル等の順次、読み出しが必要なデータファイル記録し、低読み出しレートゾーン１２１には、暗号鍵ファイルや、インデックスファイル、管理データファイル等を記録する。
【００６９】
高読み出しレートゾーン１２２のみを利用して複数の層（レイヤ）に渡って再生データを記録すると、再生データの読み出し順は、図６（Ｂ）に示す論理セクタ設定順のようになる。
再生装置は、図６（Ｂ）に示すように高読み出しレートゾーンのみから、データを読み出して再生を実行することができる。
【００７０】
この図６に示す構成では、再生装置は、高読み出しレートゾーン１２２からデータ読み出しを実行すればよく、図５（Ｂ）を参照して説明した例のように読み出しレートが異なるゾーンからのデータ読み出しを交互に実行する必要がない。従って、１つのコンテンツのデータ読み出しにおいては、データ処理アルゴリズムを切り替える必要がない。
【００７１】
なお、高読み出しレートゾーン１２２と、低読み出しレートゾーン１２１に対する記録データの区分は例えば以下のような設定とする。
高読み出しレートゾーン１２２には、再生対象となるクリップＡＶストリームファイルとクリップ情報ファイルを記録する。その他の管理情報ファイルや、データベースファイルであるインデックスファイル、ムービーオブジェクトファイル、プレイリストファイル等を低読み出しレートゾーン１２１に記録する。
このような設定とすることで、順次読み出しが必要となるクリップ情報ファイルや、クリップＡＶストリームファイルの読み出し処理に際して、処理アルゴリズムの切り替えを行う必要がなくなる。
【００７２】
あるいは、高読み出しレートゾーン１２２には本編の映画コンテンツを記録し、低読み出しレートゾーン１２１には、本編以外のサービスコンテンツなどを記録するといった設定としてもよい。
【００７３】
図７は、低読み出しレートゾーン１２１のみを利用したデータの記録構成と再生処理例を示す図である。
図７に示す例は、低読み出しレートゾーン１２１のみを利用したデータ読み出し処理例を示している。低読み出しレートゾーン１２１には、例えば、高読み出しレートゾーン１２１に記録したクリップ情報ファイルやクリップＡＶストリームファイルに対応するデータベースファイルを記録する。
【００７４】
これらのデータベースファイルは、再生開始前に読み出し処理を実行し、読み出したデータを、再生装置のメモリ、例えばＲＡＭ等に展開しておき、再生時にＲＡＭ上の展開データを参照して処理を行なうことが可能となる。
低読み出しレートゾーン１２１のみを利用して複数の層（レイヤ）に渡って記録されたデータの読み出し順は、図７（Ｂ）に示す論理セクタ設定順のようになる。
【００７５】
再生装置は、図７（Ｂ）に示すように低読み出しレートゾーンのみから、データ、例えばデータベースファイルデータを読み出す。
この図７に示す構成では、再生装置は、低読み出しレートゾーン１２１からデータ読み出しのみを実行すればよく、読み出しレートが異なるゾーンからのデータ読み出しを交互に実行する必要がない。従って、データ読み出しにおいては、データ処理アルゴリズムを切り替える必要がない。
【００７６】
［４．ディスクに最低読み出しレート情報を記録した実施例について］
図１他を参照して説明したように、超高精細（ＵＨＤ：Ｕｌｔｒａ  Ｈｉｇｈ  Ｄｅｆｉｎｔｉｏｎ）画像対応のディスクであるＢＤ（Ｂｌｕ−ｒａｙ（登録商標）  Ｄｉｓｃ）として、複数の異なるタイプのディスクの規格化が進められている。
【００７７】
先に説明したように、以下の２つの異なるタイプのディスクが利用される可能性がある。
（Ａ）ディスク外周領域と内周領域で異なる読み出しレートのデータ記録領域を設定した複数ゾーン設定ディスク
（Ｂ）ディスクの全ての領域で単一の読み出しレートのデータ記録領域を設定した単一ゾーン設定ディスク
さらに、ディスクの総容量や、層（レイヤ）数についても、様々な設定があり、少なくとも、図１に示す５種類のディスクが利用される可能性が高い。また、将来的には、図１に示す５種類以外の構成を持つディスクも利用される可能性がある。
【００７８】
しかし、先に説明したように、ディスクに記録される各コンテンツの再生に必要となる最低読み出しレートは、コンテンツ各々で異なっているというのが現実である。
例えば図２他のディスクに示す高読み出しレートゾーン１２２に記録されるコンテンツが全て１２８Ｍｂｐｓでの読み出しを必要とするコンテンツであるとは限らない。
高読み出しレートゾーン１２２に記録されるコンテンツの中には、例えば１００Ｍｂｐｓの読み出しレートで問題なく再生可能なコンテンツが含まれる場合もある。
同様に、図２他のディスクに示す低読み出しレートゾーン１２２に記録されるコンテンツが全て１０８Ｍｂｐｓでの読み出しを必要とするコンテンツであるとは限らない。
低読み出しレートゾーン１２１に記録されるコンテンツの中には、例えば９０Ｍｂｐｓの読み出しレートで問題なく再生可能なコンテンツが含まれる場合もある。
【００７９】
コンテンツ再生に必要な読み出しレートより高い読み出しレートでのデータ読み出しを実行すると、ディスクの回転速度を高速にする必要があり、ドライブの発熱、騒音、消費電力を無駄に大きくしてしまうことになる。
【００８０】
以下、このような問題を解決するための実施例として、ディスクに記録されたコンテンツの再生に必要となる読み出しレート情報をディスクに記録し、再生装置がディスクに記録された読み出しレート情報を取得可能とした実施例について説明する。
再生装置は、ディスクに記録された読み出しレート情報に応じてディスクの回転速度を制御して、必要な回転速度に低下させてコンテンツ再生を実行することが可能となる。
【００８１】
以下の複数の実施例について、順次、説明する。
（実施例１）ディスク全体の記録データの読み出しに必要となる最低読み出しレートをディスクに記録した実施例
（実施例２）ディスクに記録された各タイトル対応のコンテンツの各々について、コンテンツ対応のタイトル単位の最低読み出しレートを個別にディスクに記録した実施例
（実施例３）ディスク全体の記録データの読み出しに必要となる最低読み出しレートと、タイトル単位の最低読み出しレートの双方をディスクに記録した実施例（＝実施例１＋２）
【００８２】
［４−１．（実施例１）ディスク全体の記録データの読み出しに必要となる最低読み出しレートをディスクに記録した実施例］
まず、実施例１として、ディスク全体の記録データの読み出しに必要となる最低読み出しレートをディスクに記録した実施例について説明する。
【００８３】
なお、実施例１の具体的態様として、以下の２つの実施例について、順次、説明する。
（実施例１ａ）ディスク全体の記録データの読み出しに必要となる最低読み出しレートをインデックステーブルのリザーブ領域に記録した実施例
（実施例１ｂ）ディスク全体の記録データの読み出しに必要となる最低読み出しレートをインデックステーブルの拡張データ記録領域に記録した実施例
【００８４】
［４−１ａ．（実施例１ａ）ディスク全体の記録データの読み出しに必要となる最低読み出しレートをインデックステーブルのリザーブ領域に記録した実施例］
まず、実施例１ａとして、ディスク全体の記録データの読み出しに必要となる最低読み出しレートをインデックステーブルのリザーブ領域に記録した実施例について説明する。
【００８５】
本開示の情報記録媒体（ディスク）２００に記録されたインデックスファイル内の記録データであるインデックステーブルのデータ構成例を図８に示す。
図８は、本開示の情報記録媒体（ディスク）に記録されるインデックステーブルの記録データの一部を示す図である。
【００８６】
インデックステーブルには、例えば以下のデータが記録される。
（ａ）データ長［ｌｅｎｇｔｈ］
（ｂ）再生開始データの種類情報（３Ｄ画像ｏｒ２Ｄ画像）［ｉｎｉｔｉａｌ＿ｏｕｔ＿ｍｏｄｅ＿ｐｒｅｆｅｒｅｎｃｅ］
（ｃ）ディスク内の３Ｄ画像データ有無情報［ＳＳ＿ｃｏｎｔｅｎｔ＿ｅｘｉｓｔ＿ｆｌａｇ］
【００８７】
なお、図８に示すデータは、インデックステーブルに記録されるデータの一部のみを示しており、インデックステーブルには、これらのデータの他にも様々なデータが記録される。
【００８８】
図８に示すインデックステーブル記録データには、
（ｄ）リザーブ領域［ｒｅｓｅｒｖｅｄ＿ｆｏｒ＿ｆｕｔｕｒｅ＿ｕｓｅ］
が設定される。
このリザーブ領域は、様々な用途に利用可能なデータ領域である。
【００８９】
このリザーブ領域に、ディスク全体の記録データの読み出しに必要となる最低読み出しレート（ｍｉｎｉｍｕｍ＿ｒｅａｄｏｕｔ＿ｓｐｅｅｄ）を記録する。
リザーブ領域［ｒｅｓｅｒｖｅｄ＿ｆｏｒ＿ｆｕｔｕｒｅ＿ｕｓｅ］は５ビットデータを記録可能な領域であり、この５ビットを利用してディスク全体の記録データの読み出しに必要となる最低読み出しレート（ｍｉｎｉｍｕｍ＿ｒｅａｄｏｕｔ＿ｓｐｅｅｄ）を記録する。
【００９０】
インデックステーブルの５ビットリザーブ領域に対する「最低読み出しレート（ｍｉｎｉｍｕｍ＿ｒｅａｄｏｕｔ＿ｓｐｅｅｄ）」の具体的な記録例について、図９を参照して説明する。
【００９１】
図９（Ａ）は、インデックステーブルの５ビットリザーブ領域である。この５ビットリザーブ領域を図９（Ｂ）に示すように３ビットの最低読み出しレート（ｍｉｎｉｍｕｍ＿ｒｅａｄｏｕｔ＿ｓｐｅｅｄ）記録領域と２ビットのリザーブ領域に区分して、３ビットの最低読み出しレート記録領域に図９（Ｃ）に示すようなデータを記録する。
【００９２】
図９（Ｃ）は、リザーブ領域に対する最低読み出しレートの記録例を示す図である。
図９（Ｃ）に示す例は、リザーブ領域に記録可能な５ビット中、３ビットを利用して最低読み出しレートを記録している。
ディスク全体の記録データ読み出しに必要となる最低読み出しレートを５つの代表値に区分して記録した例である。
【００９３】
リザーブ領域に設定されたビット値（上位３ビット）と、ディスク記録データの最低読み出しレートとの対応関係は以下の通りである。
設定値：００１＝ディスク記録データの最低読み出しレートが３６Ｍｂｐｓ
設定値：０１０＝ディスク記録データの最低読み出しレートが５４Ｍｂｐｓ
設定値：０１１＝ディスク記録データの最低読み出しレートが７２Ｍｂｐｓ
設定値：１００＝ディスク記録データの最低読み出しレートが１０８Ｍｂｐｓ
設定値：１０１＝ディスク記録データの最低読み出しレートが１４４Ｍｂｐｓ
以上の５つのビット値の各々が、５つの最低読み出しレートに対応する。
なお、ビット値＝０００は、最低読み出しレートを記録しない場合のビット値設定例である。
その他のビット値は利用しない設定としている。
【００９４】
ディスク記録コンテンツの正常な再生に必要となる実際の読み出しレートが０〜３６Ｍｂｐｓである場合は、設定値：００１を記録する。
ディスク記録コンテンツの正常な再生に必要となる実際の読み出しレートが３６〜７２Ｍｂｐｓである場合は、設定値：０１０を記録する。
以下、同様の設定であり、設定値に従った読み出しレートで再生を行なうことで、ディスクに記録された全てのコンテンツの再生を正常に行うことが可能となる。
【００９５】
例えば、リザーブ領域の設定ビット値の上位３ビットが００１である場合、ディスク記録コンテンツの正常な再生に必要となる最低読み出しレートは３６Ｍｂｐｓであることを意味する。
再生装置は、３６Ｍｂｐｓ以上の読み出しレートでディスク記録データを読み出せば、正常なデータ再生が可能となる。
【００９６】
この場合、再生装置は、３６Ｍｂｐｓ以上の読み出しレートでディスク記録データを読み出し可能なようにディスクの回転速度を決定して、決定した速度でディスクを回転させ、３６Ｍｂｐｓ以上の読み出しレートでデータを読み出す。この処理により、正常なコンテンツ再生を行なうことができる。
【００９７】
また、例えば、リザーブ領域の設定ビット値の上位３ビットが１０１である場合、ディスク記録コンテンツの正常な再生に必要となる最低読み出しレートは１４４Ｍｂｐｓであることを意味する。
再生装置は、１４４Ｍｂｐｓ以上の読み出しレートでディスク記録データを読み出せば、正常なデータ再生が可能となる。
【００９８】
このように、本実施例１ａは、ディスクに記録されたインデックステーブルのリザーブ領域に、ディスク全体に記録されたデータを正常に読み出すために必要となる最低読み出しレートを記録する。
再生装置は、インデックステーブルのリザーブ領域に記録された最低読み出しレートを取得し、取得した読み出しレート以上のレートでデータ読み出しが可能となるようにディスクの回転速度を制御し、データ読み出しを開始する。
このような制御により、再生装置は、無駄な高速回転を行わずに必要な最低限の回転速度でディスクを回転してデータ再生を行なうことが可能となる。この結果、消費電力や騒音、発熱を低減したデータ再生が実現される。
【００９９】
なお、図９に示す例では、３６Ｍｂｐｓ〜１４４Ｍｂｐｓまでの値を５段階に区切り、３ビットデータを用いて５つの最低読み出しレートを設定可能な構成としているが、これは一例である。リザーブ領域において利用可能な５ビットデータすべてを用いて、０００００〜１１１１１までの３２通りのデータを用いて、さらに細かい最低読み出しレートの設定を可能な構成としてもよい。
【０１００】
なお、例えば図１に示す（１）〜（５）の単一ゾーン型ディスクや、複数ゾーン型ディスクを利用する場合でも、本実施例は適用可能である。
図１に示す各ゾーン対応の最大読み出しレートは、これらの各ゾーンに記録されたデータを読み出す場合に必要となる可能性のある最大の読み出しレートを規定したものである。
すなわち、これらの各ゾーンに実際に記録されたデータを正常に読み出すために必要となる最低の読み出しレートを規定したものではない。
【０１０１】
従って、再生装置は、まず、インデックステーブルのリザーブ領域に記録された最低読み出しレートを取得し、取得した読み出しレート以上のレートでデータ読み出しが可能となるようにディスクの回転速度を制御し、データ読み出しを行うことで、どのゾーンからも正常にデータを読み出し、再生することが可能となる。
【０１０２】
［４−１ｂ．（実施例１ｂ）ディスク全体の記録データの読み出しに必要となる最低読み出しレートをインデックステーブルの拡張データ記録領域に記録した実施例］
次に、実施例１ｂとして、ディスク全体の記録データの読み出しに必要となる最低読み出しレートをインデックステーブルの拡張データ記録領域に記録した実施例について説明する。
【０１０３】
図１０は、本開示の情報記録媒体（ディスク）２００に記録されたインデックスファイル内の記録データであるインデックステーブル内に設定される拡張データ（ＥｘｔｅｎｓｉｏｎＤａｔａ）領域に対するエントリ情報（拡張データエントリ情報）記録領域のデータ構成例である。
インデックステーブルの拡張データ（ＥｘｔｅｎｓｉｏｎＤａｔａ）領域は、様々なデータを自由に記録することが可能な領域である。
例えば、コンテンツの制作者や、再生装置のメーカー等が様々な制御情報やコンテンツ情報を記録可能な領域である。
本実施例１ｂは、このインデックステーブルの拡張データ（ＥｘｔｅｎｓｉｏｎＤａｔａ）領域に、ディスク全体の記録データの読み出しに必要となる最低読み出しレート（ｍｉｎｉｍｕｍ＿ｒｅａｄｏｕｔ＿ｓｐｅｅｄ）を記録する。
【０１０４】
図１０は、インデックステーブル内に設定される拡張データ（ＥｘｔｅｎｓｉｏｎＤａｔａ）領域に対するエントリ情報（拡張データエントリ情報）記録領域のデータ構成例であり、拡張データエントリの識別子（ＩＤ１，ＩＤ２）の他、拡張データが記録された位置の開始位置を示す拡張データ領域開始アドレス［ｅｘｔ＿ｄａｔａ＿ｓｔａｒｔ＿ａｄｄｒｅｓｓ］や、拡張データ領域のデータ長［ｅｘｔ＿ｄａｔａ＿ｌｅｎｇｔｈ］等が記録される。
【０１０５】
インデックステーブルの拡張データ（ＥｘｔｅｎｓｉｏｎＤａｔａ）領域にディスク全体の記録データの読み出しに必要となる最低読み出しレート（ｍｉｎｉｍｕｍ＿ｒｅａｄｏｕｔ＿ｓｐｅｅｄ）を記録した例を図１１に示す。
【０１０６】
図１１に示すシンタックス図は、インデックステーブルに設定された１つの拡張データ（ＥｘｔｅｎｓｉｏｎＤａｔａ）領域の構成を示している。
この拡張データ領域の１つのデータ領域［ｂｉｔｒａｔｅ］に、ディスク全体の記録データの読み出しに必要となる最低読み出しレート（ｍｉｎｉｍｕｍ＿ｒｅａｄｏｕｔ＿ｓｐｅｅｄ）を記録する。
【０１０７】
本例において、データ領域［ｂｉｔｒａｔｅ］は１６ビットデータを設定可能である。
すなわち、数値データとして０〜２１６＝０〜６５５３５を設定可能なデータ領域である。
このデータ領域に、ディスク全体の記録データの読み出しに必要となる最低読み出しレート（ｍｉｎｉｍｕｍ＿ｒｅａｄｏｕｔ＿ｓｐｅｅｄ）の実際の値（Ｍｂｐｓ単位）を記録する。
なお１６ビット中、一部のビット、例えば８ビットを利用して最低読み出しレート（ｍｉｎｉｍｕｍ＿ｒｅａｄｏｕｔ＿ｓｐｅｅｄ）（＝Ｍｂｐｓ単位）を記録する。残りのビットはリザーブビットとする。
【０１０８】
例えば、ディスク全体の記録データの読み出しに必要となる最低読み出しレート（ｍｉｎｉｍｕｍ＿ｒｅａｄｏｕｔ＿ｓｐｅｅｄ）が６４Ｍｂｐｓである場合、
数値６４を示すビット値＝００１０００００を設定する。
例えば、ディスク全体の記録データの読み出しに必要となる最低読み出しレート（ｍｉｎｉｍｕｍ＿ｒｅａｄｏｕｔ＿ｓｐｅｅｄ）が１４４Ｍｂｐｓである場合、
数値１４４を示すビット値＝１００１０００００を設定する。
【０１０９】
拡張データ領域は、実施例１で説明したリザーブ領域のように小さなデータ記録領域ではなく、多くのデータを記録可能な領域であり、最低読み出しレートをそのまま記録することが可能である。
例えば、インデックステーブルの拡張データ（ＥｘｔｅｎｓｉｏｎＤａｔａ）領域の設定が、
数値６４を示すビット値＝００１０００００である場合、ディスク記録コンテンツの正常な再生に必要となる最低読み出しレートは６４Ｍｂｐｓであることを意味する。
再生装置は、６４Ｍｂｐｓ以上の読み出しレートでディスク記録データを読み出せば、正常なデータ再生が可能となる。
【０１１０】
この場合、再生装置は、６４Ｍｂｐｓ以上の読み出しレートでディスク記録データを読み出し可能なようにディスクの回転速度を決定して、決定した速度でディスクを回転させ、６４Ｍｂｐｓ以上の読み出しレートでデータを読み出す。この処理により、正常なコンテンツ再生を行なうことができる。
【０１１１】
なお、図１１には、インデックステーブルの拡張データ（ＥｘｔｅｎｓｉｏｎＤａｔａ）領域の１６ビットデータの一部のビット、例えば８ビットを利用して、ディスク全体の記録データの実際の最低読み出しレートをＭｂｐｓ単位で記録する例を示しているが、拡張データ領域に対する最低読み出しレートの記録態様としては、この他の設定も可能である。
例えば、先の実施例１ａにおいて図９を参照して説明したように、３ビットデータのみを用いて、代表的な最低読み出しレート（３６，５４，７２，１０８，１４４）のみを記録する設定としてもよい。
【０１１２】
本実施例１ｂは、ディスクに記録されたインデックステーブルの拡張データ（ＥｘｔｅｎｓｉｏｎＤａｔａ）領域に、ディスク全体に記録されたデータを正常に読み出すために必要となる最低読み出しレートを記録する。
再生装置は、インデックステーブルの拡張データ領域に記録された最低読み出しレートを取得し、取得した読み出しレート以上のレートでデータ読み出しが可能となるようにディスクの回転速度を制御し、データ読み出しを開始する。
このような制御により、再生装置は、無駄な高速回転を行わずに必要な最低限の回転速度でディスクを回転してデータ再生を行なうことが可能となる。この結果、消費電力や騒音、発熱を低減したデータ再生が実現される。
【０１１３】
なお、本実施例１ｂも、前述した実施例１ａと同様、例えば図１に示す（１）〜（５）の単一ゾーン型ディスクや、複数ゾーン型ディスクを利用する場合でも適用可能である。
再生装置は、まず、インデックステーブルの拡張データ領域に記録された最低読み出しレートを取得し、取得した読み出しレート以上のレートでデータ読み出しが可能となるようにディスクの回転速度を制御し、データ読み出しを行うことで、どのゾーンからも正常にデータを読み出し、再生することが可能となる。
【０１１４】
［４−２．（実施例２）ディスク記録コンテンツについて、コンテンツ対応のタイトル単位の最低読み出しレートをディスクに記録した実施例］
次に、実施例２として、ディスク記録コンテンツについて、コンテンツ対応のタイトル単位の最低読み出しレートをディスクに記録した実施例について説明する。
【０１１５】
なお、実施例２の具体的態様として、以下の２つの実施例について、順次、説明する。
（実施例２ａ）ディスク記録コンテンツについて、コンテンツ対応のタイトル単位の最低読み出しレートをインデックステーブルのタイトル対応情報記録領域に記録した実施例
（実施例２ｂ）ディスク記録コンテンツについて、コンテンツ対応のタイトル単位の最低読み出しレートをプレイリストファイルのリザーブ領域に記録した実施例
（実施例２ｃ）ディスク記録コンテンツについて、コンテンツ対応のタイトル単位の最低読み出しレートをプレイリストファイルの拡張データ記録領域に記録した実施例
【０１１６】
［４−２ａ．（実施例２ａ）ディスク記録コンテンツについて、コンテンツ対応のタイトル単位の最低読み出しレートをインデックステーブルのタイトル対応情報記録領域に記録した実施例］
実施例２ａとして、ディスク記録コンテンツについて、コンテンツ対応のタイトル単位の最低読み出しレートをインデックステーブルのタイトル対応情報記録領域に記録した実施例について説明する。
【０１１７】
１枚のディスクには、複数のコンテンツ、例えば映画コンテンツＡ、映画コンテンツＢ、宣伝コンテンツＣなど、複数のコンテンツが記録される場合がある。
これらは、インデックスファイルに設定されるタイトルを指定することで、選択的に再生可能である。
すなわち、ディスクには、インデックスファイルに設定されたタイトルに対応付けられた複数のコンテンツが記録可能である。
【０１１８】
これらのタイトル対応コンテンツは、個別に異なる最低読み出しレート（ｍｉｎｉｍｕｍ＿ｒｅａｄｏｕｔ＿ｓｐｅｅｄ）が設定可能である。
本実施例２ａは、これらタイトルに対応付けられた各コンテンツ単位で、最低読み出しレート（ｍｉｎｉｍｕｍ＿ｒｅａｄｏｕｔ＿ｓｐｅｅｄ）を記録した実施例である。
本実施例２ａは、タイトル単位の読み出しレート情報を、インデックステーブルのタイトル対応情報記録領域のリザーブ領域に記録した実施例である。
【０１１９】
図１２は、本開示の情報記録媒体（ディスク）２００に記録されたインデックスファイル内の記録データであるインデックステーブルの構成例を示す図である。
図１２に示すように、インデックステーブルには、
ディスク記録全データに関する情報を記録した「ディスク記録全データ対応情報記録領域」の他、各タイトルに対応付けられたコンテンツ単位の情報を記録する「タイトル対応情報記録領域」が設定される。
各「タイトル対応情報記録領域」には、規定のタイトル対応情報の記録フィールドの種、自由なデータを記録可能なリザーブ領域が設定される。
【０１２０】
実施例２ａでは、このインデックステーブル内のタイトル対応情報記録領域のリザーブ領域に、タイトル対応コンテンツのデータの読み出しに必要となるタイトル対応最低読み出しレート（ｍｉｎｉｍｕｍ＿ｒｅａｄｏｕｔ＿ｓｐｅｅｄ）を記録する。
【０１２１】
図１２に示す例は、ディスクにタイトル１〜ｎのｎ個のコンテンツが記録され、インデックステーブルにこれらｎ個のコンテンツに関する情報、すなわちｎ個のタイトル対応情報記録領域が設定されたインデックステーブルの構成例を示している。
【０１２２】
ｎ個のタイトル対応情報記録領域の各々にはリザーブ領域が含まれ、このリザーブ領域に、タイトル対応コンテンツのデータの読み出しに必要となるタイトル対応最低読み出しレート（ｍｉｎｉｍｕｍ＿ｒｅａｄｏｕｔ＿ｓｐｅｅｄ）を記録する。
【０１２３】
図１３にタイトル対応情報記録領域の構成を説明するシンタックス図を示す。図１３に示すように、タイトル対応情報記録領域の各々には２８ビットのリザーブ領域が含まれ、このリザーブ領域に、タイトル対応コンテンツのデータの読み出しに必要となるタイトル対応最低読み出しレート（ｍｉｎｉｍｕｍ＿ｒｅａｄｏｕｔ＿ｓｐｅｅｄ）を記録する。
【０１２４】
ｎ個のタイトル対応情報記録領域の各々のリザーブ領域に記録するタイトル対応最低読み出しレート（ｍｉｎｉｍｕｍ＿ｒｅａｄｏｕｔ＿ｓｐｅｅｄ）のデータ記録構成例を図１４に示す。
【０１２５】
図１４には、タイトル対応最低読み出しレートのデータ記録構成例として、以下の２つの例を示している。
（１）予め規定した複数の最低読み出しレートを記録する例（３ビット利用）
（２）実際の読み出しレートを記録する例（８ビット利用）
【０１２６】
図１４（１）に示すタイトル対応最低読み出しレート（ｍｉｎｉｍｕｍ＿ｒｅａｄｏｕｔ＿ｓｐｅｅｄ）のデータ記録構成例は、先に図９を参照して説明した実施例１の最低読み出しレートのデータ記録構成例と同様のデータ構成である。
【０１２７】
図１４（１）に示す例は、各タイトル対応情報記録領域に設定されたリザーブ領域に記録可能なビット数（２８ビット）の３ビットを利用してタイトル対応の最低読み出しレートを記録した例を示している。残りの２５ビットはリザーブ領域とする。
タイトル対応コンテンツの読み出しに必要となる最低読み出しレートを５つの代表値に区分して記録している。
【０１２８】
リザーブ領域に設定されたビット値（上位３ビット）と、タイトル対応コンテンツの最低読み出しレートとの対応関係は以下の通りである。
設定値：００１＝タイトル対応コンテンツの最低読み出しレートが３６Ｍｂｐｓ
設定値：０１０＝タイトル対応コンテンツの最低読み出しレートが５４Ｍｂｐｓ
設定値：０１１＝タイトル対応コンテンツの最低読み出しレートが７２Ｍｂｐｓ
設定値：１００＝タイトル対応コンテンツの最低読み出しレートが１０８Ｍｂｐｓ
設定値：１０１＝タイトル対応コンテンツの最低読み出しレートが１４４Ｍｂｐｓ
以上の５つのビット値の各々が、５つの最低読み出しレートに対応する。
なお、ビット値＝０００は、最低読み出しレートを記録しない場合のビット値設定例である。
その他のビット値は利用しない設定としている。
【０１２９】
例えば、タイトル１のタイトル１対応情報記録領域のリザーブ領域の設定ビット値の上位３ビットが００１である場合、タイトル１対応コンテンツの正常な再生に必要となる最低読み出しレートは３６Ｍｂｐｓであることを意味する。
再生装置は、このタイトル１に対応するコンテンツを再生する場合、３６Ｍｂｐｓ以上の読み出しレートでデータを読み出せば、正常なコンテンツ再生が可能となる。
【０１３０】
再生装置は、タイトル１によって指定されるコンテンツを再生する場合、３６Ｍｂｐｓ以上の読み出しレートでディスク記録データを読み出し可能なようにディスクの回転速度を決定して、決定した速度でディスクを回転させ、３６Ｍｂｐｓ以上の読み出しレートでデータを読み出す。この処理により、正常なコンテンツ再生を行なうことができる。
【０１３１】
また、例えば、タイトル２のタイトル２対応情報記録領域のリザーブ領域の設定ビット値の上位３ビットが０１１である場合、タイトル２対応コンテンツの正常な再生に必要となる最低読み出しレートは７２Ｍｂｐｓであることを意味する。
【０１３２】
再生装置は、タイトル２によって指定されるコンテンツを再生する場合、７２Ｍｂｐｓ以上の読み出しレートでディスク記録データを読み出し可能なようにディスクの回転速度を決定して、決定した速度でディスクを回転させ、７２Ｍｂｐｓ以上の読み出しレートでデータを読み出す。この処理により、正常なコンテンツ再生を行なうことができる。
【０１３３】
また、図１４（２）に示す実際の最低読み出しレートを記録する例は、実施例１ｂにおいて図１１を参照して説明した構成と同様である。
タイトル対応情報記録領域の各々のリザーブ領域に記録するタイトル対応最低読み出しレート（ｍｉｎｉｍｕｍ＿ｒｅａｄｏｕｔ＿ｓｐｅｅｄ）として、実際の最低読み出しレートをＭｂｐｓ単位で記録する。
【０１３４】
例えば、リザーブ領域の２８ビット中８ビットデータを利用する場合について説明する。残りの２０ビットはリザーブ領域とする。
タイトル対応コンテンツの読み出しに必要となる最低読み出しレート（ｍｉｎｉｍｕｍ＿ｒｅａｄｏｕｔ＿ｓｐｅｅｄ）が６４Ｍｂｐｓである場合、
数値６４を示すビット値＝００１０００００を設定する。
また、タイトル対応コンテンツの読み出しに必要となる最低読み出しレートが１４４Ｍｂｐｓである場合、
数値１４４を示すビット値＝１００１００００を設定する。
【０１３５】
このように、本実施例２ａは、ディスクに記録されたインデックステーブルのタイトル対応情報記録領域のリザーブ領域に、各タイトル対応コンテンツの正常な再生処理に必要となる最低読み出しレートを記録する。
再生装置は、再生指定されたタイトルに応じて、インデックステーブルから指定タイトルに対応するタイトル対応情報記録領域を選択し、選択したタイトル対応情報記録領域のリザーブ領域に記録された最低読み出しレートを取得する。
さらに、取得した読み出しレート以上のレートでデータ読み出しが可能となるようにディスクの回転速度を制御し、データ読み出しを開始する。
【０１３６】
このような制御により、再生装置は、各タイトル対応コンテンツの再生処理に際して、各タイトル対応コンテンツの再生に必要な最低読み出しレートに応じたディスク回転速度の制御を行うことが可能となる。これにより、無駄な高速回転を行わずに必要な最低限の回転速度でディスクを回転してデータ再生を行なうことが可能となる。この結果、消費電力や騒音、発熱を低減したデータ再生が実現される。
【０１３７】
なお、本実施例２ａも前述した実施例１ａ〜１ｂと同様、例えば図１に示す（１）〜（５）の単一ゾーン型ディスクや、複数ゾーン型ディスクを利用する場合でも、本実施例は適用可能である。
再生装置は、まず、再生指定されたタイトルに応じて、インデックステーブルから指定タイトルに対応するタイトル対応情報記録領域を選択し、選択したタイトル対応情報記録領域のリザーブ領域に記録された最低読み出しレートを取得する。
取得した読み出しレート以上のレートでデータ読み出しが可能となるようにディスクの回転速度を制御し、データ読み出しを行うことで、どのゾーンからも正常にデータを読み出し、再生することが可能となる。
【０１３８】
［４−２ｂ．（実施例２ｂ）ディスク記録コンテンツについて、コンテンツ対応のタイトル単位の最低読み出しレートをプレイリストファイルに記録した実施例］
次に、実施例２ｂとして、ディスク記録コンテンツについて、コンテンツ対応のタイトル単位の最低読み出しレートをプレイリストファイルに記録した実施例について説明する。
【０１３９】
本実施例２ｂも、実施例２ａと同様、タイトル単位の読み出しレート情報を記録した実施例である。
前述したように、１枚のディスクには、複数のコンテンツ、例えば映画コンテンツＡ、映画コンテンツＢ、宣伝コンテンツＣなど、複数のコンテンツが記録される場合がある。
これらは、インデックスファイルに設定されるタイトルを指定することで、選択的に再生可能である。
すなわち、ディスクには、インデックスファイルに設定されたタイトルに対応付けられた複数のコンテンツが記録可能である。
【０１４０】
これらのタイトル対応コンテンツは、個別に異なる最低読み出しレート（ｍｉｎｉｍｕｍ＿ｒｅａｄｏｕｔ＿ｓｐｅｅｄ）が設定可能である。
本実施例２ｂは、これらタイトルに対応付けられた各コンテンツ単位で、最低読み出しレート（ｍｉｎｉｍｕｍ＿ｒｅａｄｏｕｔ＿ｓｐｅｅｄ）を記録した実施例である。
本実施例２ｂは、タイトル単位の読み出しレート情報を、各タイトル対応コンテンツの再生に適用するプレイリストファイルに記録する。
【０１４１】
図１５は、本開示の情報記録媒体（ディスク）２００に記録されたプレイリストファイルのデータ構成を示すシンタックス図である。
プレイリストファイルは、各タイトル対応コンテンツの各々に対して設定されるコンテンツ固有の再生制御情報ファイルである。
【０１４２】
プレイリストファイルは、先に図３を参照して説明したように、タイトルによって指定される再生プログラムのプログラム情報に従ったコンテンツの再生順等を規定したファイルであり、再生位置情報を持クリップ情報に対する指定情報を有する。
【０１４３】
各プレイリストファイルには、図１５に示すように、リサーブ領域［ｒｅｓｅｒｖｅｄ＿ｆｏｒ＿ｆｕｔｕｒ＿ｕｓｅ］が設定される。
このリザーブ領域は、様々な用途に利用可能なデータ領域である。
【０１４４】
本実施例２ｂでは、このプレイリストファイルのリザーブ領域に、タイトル対応コンテンツのデータの読み出しに必要となるタイトル対応最低読み出しレート（ｍｉｎｉｍｕｍ＿ｒｅａｄｏｕｔ＿ｓｐｅｅｄ）を記録する。
【０１４５】
プレイリストファイルのリザーブ領域に記録するタイトル対応最低読み出しレート（ｍｉｎｉｍｕｍ＿ｒｅａｄｏｕｔ＿ｓｐｅｅｄ）のデータ記録構成例を図１６に示す。
【０１４６】
図１６には、タイトル対応最低読み出しレートのデータ記録構成例として、以下の２つの例を示している。
（１）予め規定した複数の最低読み出しレートを記録する例
（２）実際の読み出しレートを記録する例
【０１４７】
「（１）予め規定した複数の最低読み出しレートを記録する例」は、実施例１において図９を参照して説明した構成と同様である。
すなわち、各タイトル対応コンテンツの再生制御情報ファイルであるプレイリストファイルに設定されたリザーブ領域に記録可能なビット数内の３ビットを利用してタイトル対応の最低読み出しレートを記録した例である。
タイトル対応コンテンツの読み出しに必要となる最低読み出しレートを５つの代表値に区分して記録している。
【０１４８】
プレイリストファイルのリザーブ領域に設定されたビット値（上位３ビット）と、タイトル対応コンテンツの最低読み出しレートとの対応関係は以下の通りである。
設定値：００１＝タイトル対応コンテンツの最低読み出しレートが３６Ｍｂｐｓ
設定値：０１０＝タイトル対応コンテンツの最低読み出しレートが５４Ｍｂｐｓ
設定値：０１１＝タイトル対応コンテンツの最低読み出しレートが７２Ｍｂｐｓ
設定値：１００＝タイトル対応コンテンツの最低読み出しレートが１０８Ｍｂｐｓ
設定値：１０１＝タイトル対応コンテンツの最低読み出しレートが１４４Ｍｂｐｓ
以上の５つのビット値の各々が、５つの最低読み出しレートに対応する。
なお、ビット値＝０００は、最低読み出しレートを記録しない場合のビット値設定例である。
その他のビット値は利用しない設定としている。
【０１４９】
例えば、タイトル１のプレイリストファイルのリザーブ領域の設定ビット値の上位３ビットが００１である場合、タイトル１対応コンテンツの正常な再生に必要となる最低読み出しレートは３６Ｍｂｐｓであることを意味する。
再生装置は、このタイトル１に対応するコンテンツを再生する場合、３６Ｍｂｐｓ以上の読み出しレートでデータを読み出せば、正常なコンテンツ再生が可能となる。
【０１５０】
再生装置は、タイトル１によって指定されるコンテンツを再生する場合、３６Ｍｂｐｓ以上の読み出しレートでディスク記録データを読み出し可能なようにディスクの回転速度を決定して、決定した速度でディスクを回転させ、３６Ｍｂｐｓ以上の読み出しレートでデータを読み出す。この処理により、正常なコンテンツ再生を行なうことができる。
【０１５１】
また、例えば、タイトル２のプレイリストファイルのリザーブ領域の設定ビット値の上位３ビットが０１１である場合、タイトル２対応コンテンツの正常な再生に必要となる最低読み出しレートは７２Ｍｂｐｓであることを意味する。
【０１５２】
再生装置は、タイトル２によって指定されるコンテンツを再生する場合、７２Ｍｂｐｓ以上の読み出しレートでディスク記録データを読み出し可能なようにディスクの回転速度を決定して、決定した速度でディスクを回転させ、７２Ｍｂｐｓ以上の読み出しレートでデータを読み出す。この処理により、正常なコンテンツ再生を行なうことができる。
【０１５３】
また、図１６「（２）実際の最低読み出しレートを記録する例」は、実施例１ｂにおいて図１１を参照して説明した構成と同様である。
プレイリストファイルのリザーブ領域に設定可能なビット数の全てまたは一部のビットを利用して、実際の最低読み出しレートを記録する。
図１５に示す例ではプレイリストファイルのリザーブ領域は、１２ビットデータを設定可能な構成を有する。
すなわち、数値データとして、
０〜２１２＝０〜４０９５
を設定可能なデータ領域である。
この１２ビット中、例えば８ビットを最低読み出しレートを記録するために用いる。残り４ビットはリザーブ領域とする。
すなわち、８ビットを用いて、各プレイリストを利用して再生されるタイトル対応コンテンツデータの読み出しに必要となる最低読み出しレート（ｍｉｎｉｍｕｍ＿ｒｅａｄｏｕｔ＿ｓｐｅｅｄ）を記録する。
【０１５４】
例えば、各プレイリストを利用して再生されるタイトル対応コンテンツの読み出しに必要となる最低読み出しレート（ｍｉｎｉｍｕｍ＿ｒｅａｄｏｕｔ＿ｓｐｅｅｄ）が６４Ｍｂｐｓである場合、
数値６４を示すビット値＝００１０００００を設定する。
例えば、各プレイリストを利用して再生されるタイトル対応コンテンツの読み出しに必要となる最低読み出しレート（ｍｉｎｉｍｕｍ＿ｒｅａｄｏｕｔ＿ｓｐｅｅｄ）が１２８Ｍｂｐｓである場合、
数値１２８を示すビット値＝１００１００００を設定する。
図１５に示すように、プレイリストファイルのリザーブ領域は、１２ビットデータを記録可能であり、最低読み出しレートをそのまま記録することが可能である。
【０１５５】
このように、本実施例２ｂは、ディスクに記録されたタイトル対応コンテンツの各々の再生制御情報ファイルであるプレイリストファイルのリザーブ領域に、そのプレイリストを利用して再生される各タイトル対応コンテンツの正常な再生処理に必要となる最低読み出しレートを記録する。
再生装置は、再生指定されたタイトルに応じて選択されるプレイリストファイルのリザーブ領域に記録された最低読み出しレートを取得する。
さらに、取得した読み出しレート以上のレートでデータ読み出しが可能となるようにディスクの回転速度を制御し、データ読み出しを開始する。
【０１５６】
このような制御により、再生装置は、各タイトル対応コンテンツの再生処理に際して、各タイトル対応コンテンツの再生に必要な最低読み出しレートに応じたディスク回転速度の制御を行うことが可能となる。これにより、無駄な高速回転を行わずに必要な最低限の回転速度でディスクを回転してデータ再生を行なうことが可能となる。この結果、消費電力や騒音、発熱を低減したデータ再生が実現される。
【０１５７】
なお、本実施例２ｂも前述した実施例１ａ，１ｂ，２ａと同様、例えば図１に示す（１）〜（５）の単一ゾーン型ディスクや、複数ゾーン型ディスクを利用する場合でも、本実施例は適用可能である。
再生装置は、まず、再生指定されたタイトルに応じて、プレイリストファイルを選択し、選択したプレイリストファイルのリザーブ領域に記録された最低読み出しレートを取得する。
取得した読み出しレート以上のレートでデータ読み出しが可能となるようにディスクの回転速度を制御し、データ読み出しを行うことで、どのゾーンからも正常にデータを読み出し、再生することが可能となる。
【０１５８】
［４−２ｃ．（実施例２ｃ）ディスク記録コンテンツについて、コンテンツ対応のタイトル単位の最低読み出しレートをプレイリストファイルの拡張データ記録領域に記録した実施例］
次に、実施例２ｃとして、ディスク記録コンテンツについて、コンテンツ対応のタイトル単位の最低読み出しレートをプレイリストファイルの拡張データ記録領域に記録した実施例について説明する。
【０１５９】
図１５を参照して説明したプレイリストファイルにも、拡張データ（ＥｘｔｅｎｓｉｏｎＤａｔａ）領域が設定される。
インデックステーブルの拡張データ（ＥｘｔｅｎｓｉｏｎＤａｔａ）領域は、様々なデータを自由に記録することが可能な領域である。
例えば、コンテンツの制作者や、再生装置のメーカー等が様々な制御情報やコンテンツ情報を記録可能な領域である。
本実施例２ｃは、このプレイリストファイルの拡張データ（ＥｘｔｅｎｓｉｏｎＤａｔａ）領域に、このプレイリストを利用して再生されるタイトル対応のコンテンツデータの読み出しに必要となる最低読み出しレート（ｍｉｎｉｍｕｍ＿ｒｅａｄｏｕｔ＿ｓｐｅｅｄ）を記録する。
【０１６０】
プレイリストファイルの拡張データ（ＥｘｔｅｎｓｉｏｎＤａｔａ）領域にタイトル対応コンテンツデータの読み出しに必要となる最低読み出しレート（ｍｉｎｉｍｕｍ＿ｒｅａｄｏｕｔ＿ｓｐｅｅｄ）を記録した例を図１７に示す。
【０１６１】
図１７に示すシンタックス図は、プレイリストファイルに設定された１つの拡張データ（ＥｘｔｅｎｓｉｏｎＤａｔａ）領域の構成を示している。
この拡張データ領域の１つのデータ領域［ｂｉｔｒａｔｅ］に、このプレイリストを利用して再生されるタイトル対応のコンテンツデータの読み出しに必要となる最低読み出しレート（ｍｉｎｉｍｕｍ＿ｒｅａｄｏｕｔ＿ｓｐｅｅｄ）を記録する。
【０１６２】
本例において、データ領域［ｂｉｔｒａｔｅ］は１６ビットデータを設定可能である。
すなわち、数値データとして０〜２１６＝０〜６５５３５を設定可能なデータ領域である。
このデータ領域に、タイトル対応コンテンツデータの読み出しに必要となる最低読み出しレート（ｍｉｎｉｍｕｍ＿ｒｅａｄｏｕｔ＿ｓｐｅｅｄ）の実際の値（Ｍｂｐｓ単位）を記録する。
なお１６ビット中、一部のビット、例えば８ビットを利用して最低読み出しレート（ｍｉｎｉｍｕｍ＿ｒｅａｄｏｕｔ＿ｓｐｅｅｄ）（＝Ｍｂｐｓ単位）を記録する。残りのビットはリザーブビットとする。
【０１６３】
例えば、タイトル対応コンテンツの記録データ読み出しに必要となる最低読み出しレート（ｍｉｎｉｍｕｍ＿ｒｅａｄｏｕｔ＿ｓｐｅｅｄ）が６４Ｍｂｐｓである場合、
数値６４を示すビット値＝００１０００００を設定する。
また、データ読み出しに必要となる最低読み出しレート（ｍｉｎｉｍｕｍ＿ｒｅａｄｏｕｔ＿ｓｐｅｅｄ）が１４４Ｍｂｐｓである場合、
数値１４４を示すビット値＝１００１０００００を設定する。
【０１６４】
拡張データ領域は、小さなデータ記録領域ではなく、多くのデータを記録可能な領域であり、最低読み出しレートをそのまま記録することが可能である。
例えば、プレイリストファイルの拡張データ（ＥｘｔｅｎｓｉｏｎＤａｔａ）領域の設定が、
数値６４を示すビット値＝００１０００００である場合、ディスク記録コンテンツの正常な再生に必要となる最低読み出しレートは６４Ｍｂｐｓであることを意味する。
再生装置は、６４Ｍｂｐｓ以上の読み出しレートでディスク記録データを読み出せば、正常なデータ再生が可能となる。
【０１６５】
この場合、再生装置は、６４Ｍｂｐｓ以上の読み出しレートで、このプレイリストを利用して再生されるタイトル対応データを読み出し可能なようにディスクの回転速度を決定して、決定した速度でディスクを回転させ、６４Ｍｂｐｓ以上の読み出しレートでデータを読み出す。この処理により、正常なコンテンツ再生を行なうことができる。
【０１６６】
なお、図１７には、プレイリストファイルの拡張データ（ＥｘｔｅｎｓｉｏｎＤａｔａ）領域の１６ビットデータの一部のビット、例えば８ビットを利用して最低読み出しレートをＭｂｐｓ単位で記録する例を示しているが、拡張データ領域に対する最低読み出しレートの記録態様としては、この他の設定も可能である。
例えば、先の実施例２ａ，２ｂにおいて図１４（１），図１６（１）を参照して説明したように、３ビットデータのみを用いて、代表的な最低読み出しレート（３６，５４，７２，１０８，１４４）のみを記録する設定としてもよい。
【０１６７】
本実施例２ｃは、ディスクに記録されたプレイリストファイルの拡張データ（ＥｘｔｅｎｓｉｏｎＤａｔａ）領域に、タイトル対応データを正常に読み出すために必要となる最低読み出しレートを記録する。
再生装置は、プレイリストファイルの拡張データ領域に記録された最低読み出しレートを取得し、取得した読み出しレート以上のレートでデータ読み出しが可能となるようにディスクの回転速度を制御し、データ読み出しを開始する。
このような制御により、再生装置は、無駄な高速回転を行わずに必要な最低限の回転速度でディスクを回転してデータ再生を行なうことが可能となる。この結果、消費電力や騒音、発熱を低減したデータ再生が実現される。
【０１６８】
なお、本実施例２ｃも、前述した他の実施例と同様、例えば図１に示す（１）〜（５）の単一ゾーン型ディスクや、複数ゾーン型ディスクを利用する場合でも適用可能である。
再生装置は、まず、プレイリストファイルの拡張データ領域に記録された最低読み出しレートを取得し、取得した読み出しレート以上のレートでデータ読み出しが可能となるようにディスクの回転速度を制御し、データ読み出しを行うことで、どのゾーンからも正常にデータを読み出し、再生することが可能となる。
【０１６９】
［４−３．（実施例３）ディスク全体の記録データの読み出しに必要となる最低読み出しレートと、タイトル単位の最低読み出しレートの双方をディスクに記録した実施例（＝実施例１＋２）］
次に、実施例３として、ディスク全体の記録データの読み出しに必要となる最低読み出しレートと、タイトル単位の最低読み出しレートの双方をディスクに記録した実施例について説明する。
この実施例３は、実施例１と実施例２の組み合わせに相当する。
【０１７０】
具体的には、
（１）実施例１ａと実施例２ａ〜２ｃいずれかの組み合わせ、
（２）実施例１ｂと実施例２ａ〜２ｃいずれかの組み合わせ、
これらのいずれかの組み合わせが可能である。
【０１７１】
上記の組み合わせ中、１つの具体例を図１８に示す。
例えば、図１８に示すように、インデックステーブルの「ディスク記録全データ対応情報記録領域」に、ディスク記録全データ対応の最低読み出しレート（ｍｉｎｉｍｕｍ＿ｒｅａｄｏｕｔ＿ｓｐｅｅｄ）を記録し、さらに、ｎ個のタイトル対応情報記録領域の各々にはリザーブ領域が含まれ、このリザーブ領域に、タイトル対応コンテンツのデータの読み出しに必要となるタイトル対応最低読み出しレート（ｍｉｎｉｍｕｍ＿ｒｅａｄｏｕｔ＿ｓｐｅｅｄ）を記録する。
【０１７２】
インデックステーブルの「ディスク記録全データ対応情報記録領域」に記録する、ディスク記録全データ対応の最低読み出しレート（ｍｉｎｉｍｕｍ＿ｒｅａｄｏｕｔ＿ｓｐｅｅｄ）は、例えば、前述の実施例１ａ，１ｂにおいて説明した構成を持つ。
また、インデックステーブルの「タイトル対応情報記録領域」に記録する、タイトル対応コンテンツデータの最低読み出しレート（ｍｉｎｉｍｕｍ＿ｒｅａｄｏｕｔ＿ｓｐｅｅｄ）は、例えば、前述の実施例２ａにおいて説明した構成を持つ。
【０１７３】
さらに、インオデックステーブルに、ディスク記録全データ対応の最低読み出しレート（ｍｉｎｉｍｕｍ＿ｒｅａｄｏｕｔ＿ｓｐｅｅｄ）を記録し、プレイリストファイルにタイトル対応コンテンツデータの最低読み出しレート（ｍｉｎｉｍｕｍ＿ｒｅａｄｏｕｔ＿ｓｐｅｅｄ）を記録する設定としてもよい。
【０１７４】
本実施例に従って、ディスク記録データ全体の最低読み出しレートと、タイトル対応の最低読み出しレートを記録したディスクを用いてデータ再生を実行する再生装置は、以下のいずれかの再生制御を行うことが可能となる。
【０１７５】
（Ａ）ディスク記録データ全体の最低読み出しレートのみに対応し、タイトルに関わらずディスクは記録データ全体の最低読み出しレートに応じた設定（ディスク回転な速度制御と、読み出しレート制御）を行い、再生処理を実行。
（Ｂ）再生対象となるタイトルに対応する最低読み出しレートの値を取得し、取得したタイトル対応のの最低読み出しレートに応じた設定（ディスク回転な速度制御と、読み出しレート制御）を行い、再生処理を実行。この処理においては、「ディスク記録データ全体の最低読み出しレート」は無視するか、デフォルト値として用いる。
【０１７６】
なお、本実施例３も、前述した他の実施例と同様、例えば図１に示す（１）〜（５）の単一ゾーン型ディスクや、複数ゾーン型ディスクを利用する場合でも適用可能である。
再生装置は、まず、インデックステーブルまたはプレイリストファイルに記録された最低読み出しレートを取得し、取得した読み出しレート以上のレートでデータ読み出しが可能となるようにディスクの回転速度を制御し、データ読み出しを行うことで、どのゾーンからも正常にデータを読み出し、再生することが可能となる。
【０１７７】
［５．コンテンツ再生制御シーケンスについて］
次に、再生装置において実行するコンテンツ再生制御シーケンスについて説明する。
すなわち、上述した各実施例に従ってディスクにコンテンツとともに記録された最低読み出しレートを取得してコンテンツを再生する場合の再生制御シーケンスについて説明する。
【０１７８】
まず、図１９に示すフローチャートを参照して上述した（実施例１ａ）、または（実施例１ｂ）に従った構成を持つディスクからのコンテンツ再生処理を実行する場合のシーケンスについて説明する。
すなわち、ディスク全体の記録データの読み出しに必要となる最低読み出しレートをインデックステーブルのリザーブ領域、または拡張データ記録領域に記録したディスクを用いてコンテンツ再生を実行する場合の制御シーケンスである。
【０１７９】
図１９に示すフローチャートは、再生装置のプログラム実行機能を持つＣＰＵを備えたデータ処理部の制御の下、実行される。実行対象となるプログラムは、再生装置の記憶部に予め格納されたプログラム（再生プログラム）、あるいはディスクに記録されたプログラム（再生アプリケーション）である。
以下、図１９に示すフローの各ステップの処理について説明する。
【０１８０】
（ステップＳ１０１）
再生装置は、まず、ステップＳ１０１において、再生対象コンテンツを格納したディスクからコンテンツに併せて記録されたインデックステーブルを読み取る。
ディスクには、例えば先に図３を参照して説明したディレクトリに従ったデータが記録されている。
【０１８１】
ディスクには、再生対象となるクリップＡＶストリームファイルの他、クリップ情報ファイル、プレイリストファイル、ムービーオブジェクトファイル、インデックスファイルなどが記録されている。
【０１８２】
インデックステーブルには、ディスク全体の記録データの読み出しに必要となる最低読み出しレート情報が記録されている。
具体的には、図８、図９を参照して説明した実施例１ａの構成を有するディスクでは、ディスク全体の記録データの読み出しに必要となる最低読み出しレートがインデックステーブルのリザーブ領域に記録されている。
また、図１０、図１１を参照して説明した実施例１ｂの構成を有するディスクでは、ディスク全体の記録データの読み出しに必要となる最低読み出しレートがインデックステーブルの拡張データ領域に記録されている。
再生装置は、ステップＳ１０１において、まず、インデックスファイルを読み取り、インデックスファイル内に格納されたインデックステーブルを読み取る。
【０１８３】
（ステップＳ１０２）
再生装置は、ステップＳ１０２において、ディスクから読み取ったインデックステーブルに記録された最低読み出しレート情報を取得する。
この最低読み出しレートは、ディスク全体の記録データの読み出しに必要となる最低読み出しレートである。
【０１８４】
（ステップＳ１０３）
再生装置は、ステップＳ１０３において、ステップＳ１０２で取得した読み出しレート以上のレートでデータ読み出しが可能となるようにディスクの回転速度を制御し、データ読み出し、データ（コンテンツ）再生を開始する。
【０１８５】
このような制御により、再生装置は、無駄な高速回転を行わずにデータ再生に必要な最低限の回転速度でディスクの回転を行い、データ再生を行なうことが可能となる。
この結果、消費電力や騒音、発熱を低減したデータ再生が実現される。
【０１８６】
実施例１の構成を持つディスクの場合の具体的処理について説明する。
実施例１の場合、先に説明した図９に示すようにインデックステーブルのリザーブ領域に設定されたビット値（上位３ビット）と、ディスク記録データの最低読み出しレートとの対応関係は以下の通りである。
設定値：００１＝ディスク記録データの最低読み出しレートが３６Ｍｂｐｓ
設定値：０１０＝ディスク記録データの最低読み出しレートが５４Ｍｂｐｓ
設定値：０１１＝ディスク記録データの最低読み出しレートが７２Ｍｂｐｓ
設定値：１００＝ディスク記録データの最低読み出しレートが１０８Ｍｂｐｓ
設定値：１０１＝ディスク記録データの最低読み出しレートが１４４Ｍｂｐｓ
【０１８７】
例えば、リザーブ領域の設定ビット値の上位３ビットが００１である場合、ディスク記録コンテンツの正常な再生に必要となる最低読み出しレートは３６Ｍｂｐｓであることを意味する。
この場合、再生装置は、３６Ｍｂｐｓ以上の読み出しレートでディスク記録データを読み出し可能なようにディスクの回転速度を決定して、決定した速度でディスクを回転させ、３６Ｍｂｐｓ以上の読み出しレートでデータを読み出す。この処理により、消費電力や騒音、発熱を低減したデータ再生が実現される。
【０１８８】
実施例１ｂの構成を持つディスクの場合の具体的処理について説明する。
実施例１ｂの場合、先に説明した図１１に示すようにインデックステーブルの拡張データ記録領域にディスク全体の記録データの読み出しに必要となる最低読み出しレートを記録するデータ領域［ｂｉｔｒａｔｅ］を設定している。
データ領域［ｂｉｔｒａｔｅ］は１６ビットデータを記録可能であり、ディスク全体の記録データの読み出しに必要となる最低読み出しレート（ｍｉｎｉｍｕｍ＿ｒｅａｄｏｕｔ＿ｓｐｅｅｄ）をそのまま記録することができる。なお、例えばこの１６ビット中、８ビットを最低読み出しレート記録領域として用いる設定が可能である。
【０１８９】
例えば、ディスク全体の記録データの読み出しに必要となる最低読み出しレート（ｍｉｎｉｍｕｍ＿ｒｅａｄｏｕｔ＿ｓｐｅｅｄ）が６４Ｍｂｐｓである場合、
数値６４を示すビット値＝００１０００００を設定する。
【０１９０】
この場合、再生装置は、６４Ｍｂｐｓ以上の読み出しレートでディスク記録データを読み出し可能なようにディスクの回転速度を決定して、決定した速度でディスクを回転させ、６４Ｍｂｐｓ以上の読み出しレートでデータを読み出す。この処理により、消費電力や騒音、発熱を低減したデータ再生が実現される。
【０１９１】
次に、図２０に示すフローチャートを参照して上述した（実施例２ａ）、または（実施例２ｂ）、または（実施例２ｃ）に従った構成を持つディスクからのコンテンツ再生処理を実行する場合のシーケンスについて説明する。
すなわち、ディスク記録コンテンツについて、コンテンツ対応のタイトル単位の最低読み出しレートをインデックステーブルのタイトル対応情報記録領域、またはプレイリストファイルに記録したディスクを用いてコンテンツ再生を実行する場合の制御シーケンスである。
【０１９２】
図２０に示すフローチャートは、再生装置のプログラム実行機能を持つＣＰＵを備えたデータ処理部の制御の下、実行される。実行対象となるプログラムは、再生装置の記憶部に予め格納されたプログラム（再生プログラム）、あるいはディスクに記録されたプログラム（再生アプリケーション）である。
以下、図２０に示すフローの各ステップの処理について説明する。
【０１９３】
（ステップＳ１５１）
再生装置は、まず、ステップＳ１５１において、再生タイトルを決定する。
例えばインデックステーブルに記録されているタイトルリストを表示部に表示し、表示されたタイトルリストに対するユーザ指定情報に基づいて再生タイトルを決定する。
【０１９４】
（ステップＳ１５２）
次に、再生装置は、ステップＳ１５２において、再生タイトル対応の最低読み出しレートを、インデックステーブル、またはプレイリストファイルから読み取る。
ディスクには、例えば先に図３を参照して説明したディレクトリに従ったデータが記録されている。
すなわち、ディスクには、再生対象となるクリップＡＶストリームファイルの他、クリップ情報ファイル、プレイリストファイル、ムービーオブジェクトファイル、インデックスファイルなどが記録されている。
【０１９５】
本フローは、前述した実施例２ａ、実施例２ｂ、実施例２ｃに対応する処理フローであり、インデックステーブル、またはプレイリストファイルに、ディスクに記録された各コンテンツ、すなわち各コンテンツに対応して設定されるタイトル単位の最低読み出しレートが記録されている。
具体的には、図１２〜図１４を参照して説明した実施例２ａの構成を有するディスクでは、タイトル単位の最低読み出しレートがインデックステーブルのタイトル対応情報記録領域に記録されている。
また、図１５、図１６を参照して説明した実施例２ｂの構成を有するディスクでは、タイトル対応のコンテンツの再生制御情報であるプレイリストファイルのリザーブ領域に、そのプレイリストを利用して再生されるタイトル対応コンテンツの読み出しに必要となる最低読み出しレートが記録されている。
また、図１７を参照して説明した実施例２ｃの構成を有するディスクでは、タイトル対応のコンテンツの再生制御情報であるプレイリストファイルの拡張データ領域に、そのプレイリストを利用して再生されるタイトル対応コンテンツの読み出しに必要となる最低読み出しレートが記録されている。
【０１９６】
再生装置は、ステップＳ１５２において、インデックステーブル、またはプレイリストファイルから、再生対象タイトルに対応するコンテンツの最低読み出しレートを取得する。
【０１９７】
（ステップＳ１５３）
次に、再生装置は、ステップＳ１５３において、ステップＳ１５２で取得したタイトル対応の最低読み出しレート以上のレートでデータ読み出しが可能となるようにディスクの回転速度を制御し、データ読み出し、データ（コンテンツ）再生を開始する。
【０１９８】
このような制御により、再生装置は、無駄な高速回転を行わずにデータ再生に必要な最低限の回転速度でディスクの回転を行い、データ再生を行なうことが可能となる。
この結果、消費電力や騒音、発熱を低減したデータ再生が実現される。
【０１９９】
実施例２ａの構成を持つディスクの場合の具体的処理について説明する。
実施例２ａの場合、先に説明した図１２〜図１４に示すようにインデックステーブルのタイトル対応情報記録領域に各タイトル対応の最低読み出しレートが記録されている。
記録態様としては、図１４（１）に示すように、予め規定された代表値を記録する例と、図１４（２）に示すように、実際の最低読み出しレート値を記録する例がある。
【０２００】
図１４（１）に示すように、タイトル対応コンテンツの読み出しに必要となる最低読み出しレートを５つの代表値に区分して記録した場合の例について説明する。タイトル対応最低読み出しレートと設定ビット値との対応関係は以下の通りである。
設定値：００１＝タイトル対応コンテンツの最低読み出しレートが３６Ｍｂｐｓ
設定値：０１０＝タイトル対応コンテンツの最低読み出しレートが５４Ｍｂｐｓ
設定値：０１１＝タイトル対応コンテンツの最低読み出しレートが７２Ｍｂｐｓ
設定値：１００＝タイトル対応コンテンツの最低読み出しレートが１０８Ｍｂｐｓ
設定値：１０１＝タイトル対応コンテンツの最低読み出しレートが１４４Ｍｂｐｓ
【０２０１】
例えば、設定ビット値の上位３ビットが００１である場合、タイトル対応コンテンツの正常な再生に必要となる最低読み出しレートは３６Ｍｂｐｓであることを意味する。
この場合、再生装置は、３６Ｍｂｐｓ以上の読み出しレートで、再生指定されたタイトルに対応するデータ（コンテンツ）を読み出し可能なようにディスクの回転速度を決定して、決定した速度でディスクを回転させ、３６Ｍｂｐｓ以上の読み出しレートでデータを読み出す。この処理により、消費電力や騒音、発熱を低減したデータ再生が実現される。
【０２０２】
実施例２ｂ、２ｃの構成を持つディスクの場合の具体的処理について説明する。
実施例２ｂ、２ｃの場合、先に説明した図１５〜図１７に示すように各タイトル対応コンテンツの各々に対して設定されるコンテンツ固有の再生制御情報ファイルであるプレイリストファイルにタイトル対応コンテンツのデータの読み出しに必要となるタイトル対応最低読み出しレート（ｍｉｎｉｍｕｍ＿ｒｅａｄｏｕｔ＿ｓｐｅｅｄ）が記録されている。
記録態様としては、例えば図１６（１）に示すように、予め規定された代表値を記録する例と、図１６（２）に示すように、実際の最低読み出しレート値を記録する例がある。
【０２０３】
図１６（２）に示すように、実際の最低読み出しレート値を記録した場合の処理について説明する。
例えば、再生指定されたタイトルに対応するデータ（コンテンツ）の読み出しに必要となる最低読み出しレート（ｍｉｎｉｍｕｍ＿ｒｅａｄｏｕｔ＿ｓｐｅｅｄ）が６４Ｍｂｐｓである場合、
数値６４を示すビット値＝００１０００００が記録されているとする。
【０２０４】
この場合、再生装置は、６４Ｍｂｐｓ以上の読み出しレートでディスク記録データを読み出し可能なようにディスクの回転速度を決定して、決定した速度でディスクを回転させ、６４Ｍｂｐｓ以上の読み出しレートでデータを読み出す。この処理により、消費電力や騒音、発熱を低減したデータ再生が実現される。
【０２０５】
［６．ディスクに対するデータ記録処理およびディスク製造処理について］
なお、インデックステーブルやプレイリストファイルに記録する最低読み出しレート（ｍｉｎｉｍｕｍ＿ｒｅａｄｏｕｔ＿ｓｐｅｅｄ）情報は、ディスクに対するコンテンツの記録処理や、ディスクの製造を行う場合にもメリットがある。
コンテンツ自体を作成するのはコンテンツ制作スタジオである。コンテンツ制作スタジオは、様々な設定のコンテンツを制作する。
具体的には、低読み出しレートゾーンのみを利用して記録可能なコンテンツや、低読み出しレートゾーンと高読み出しレートゾーンの２つのゾーンを利用して記録することが必要なコンテンツ等である。
【０２０６】
コンテンツ制作スタジオは、コンテンツに応じて、例えば、先に説明した図１（１）〜（５）のいずれの態様で記録すべきかを決定し、さらに、各コンテンツの正常な再生に必要となる最低読み出しレート（ｍｉｎｉｍｕｍ＿ｒｅａｄｏｕｔ＿ｓｐｅｅｄ）を決定し、その情報を予めインデックステーブルやプレイリストファイルに記録してディスク工場に提供する。
【０２０７】
なお、最低読み出しレート（ｍｉｎｉｍｕｍ＿ｒｅａｄｏｕｔ＿ｓｐｅｅｄ）の記録態様は、先に説明した実施例１〜３のいずれかの態様となる。すなわち、以下の実施例のいずれかまたは組み合わせてとなる。
（実施例１ａ）ディスク全体の記録データの読み出しに必要となる最低読み出しレートをインデックステーブルのリザーブ領域に記録した実施例
（実施例１ｂ）ディスク全体の記録データの読み出しに必要となる最低読み出しレートをインデックステーブルの拡張データ記録領域に記録した実施例
（実施例２ａ）ディスク記録コンテンツについて、コンテンツ対応のタイトル単位の最低読み出しレートをインデックステーブルのタイトル対応情報記録領域に記録した実施例
（実施例２ｂ）ディスク記録コンテンツについて、コンテンツ対応のタイトル単位の最低読み出しレートをプレイリストファイルのリザーブ領域に記録した実施例
（実施例２ｃ）ディスク記録コンテンツについて、コンテンツ対応のタイトル単位の最低読み出しレートをプレイリストファイルの拡張データ記録領域に記録した実施例
（実施例３）ディスク全体の記録データの読み出しに必要となる最低読み出しレートを記録し、さらに、ディスク記録コンテンツについて、コンテンツ対応のタイトル単位の最低読み出しレートを記録した実施例
【０２０８】
ディスク工場は、コンテンツ制作スタジオから受領したデータに含まれる最低読み出しレート情報を含むインデックスファイルやプレイリストファイルを記録したディスクを製造する。
また、記録データの再生試験等に際して、インデックステーブル、あるいはプレイリストファイルの最低読み出しレート情報を参照して、記録データの正常な再生ができるか否かの再生試験を行うことが可能となる。
【０２０９】
図２１に示すフローチャートを参照して、ディスク製造装置において実行する処理シーケンスについて説明する。
図２１に示すフローは、ディスク製造装置のプログラム実行機能を持つＣＰＵを備えたデータ処理部の制御の下、実行される処理である。実行対象となるプログラムは、ディスク製造装置の記憶部に予め格納されたプログラム（再生プログラム）である。
以下、図２１に示すフローの各ステップの処理について説明する。
【０２１０】
（ステップＳ２０１）
ディスク製造装置は、まず、ステップＳ２０１において、例えばコンテンツ制作スタジオから受領したディスク記録用データに含まれるインデックステーブルおよびプレイリストファイルを読み取る。
なお、ディスク記録用データは、例えばフラッシュメモリ等のメディアに記録され、コンテンツ制作スタジオから取得する。あるいはデータ通信手段を介して受信するなど、様々な設定が可能である。
【０２１１】
ディスク記録用データには、例えば先に図３を参照して説明したディレクトリに従ったデータが含まれる。
再生対象となるクリップＡＶストリームファイルの他、クリップ情報ファイル、プレイリストファイル、ムービーオブジェクトファイル、インデックスファイルなどが含まれる。
【０２１２】
（ステップＳ２０２）
ディスク製造装置は、ステップＳ２０２において、ディスク記録用データから読み取ったインデックステーブル、およびプレイリストファイルから、これらのファイルに記録された最低読み出しレート情報を取得する。
【０２１３】
（ステップＳ２０３）
ディスク製造装置は、ステップＳ２０３において、ステップＳ２０２で取得した最低読み出しレートに基づいて、ディスク回転速度を決定し、決定した回転速度でディスクを回転させ、取得した読み出しレートでデータを読み出して、再生試験を実行する。
【０２１４】
例えば、（実施例１ａ）ディスク全体の記録データの読み出しに必要となる最低読み出しレートをインデックステーブルのリザーブ領域に記録した実施例に相当するディスクを製造する場合は、以下の処理を実行する。
インデックステーブルのリザーブ領域に記録された最低読み出しレートを取得し、取得した読み出しレート以上のレートでデータ読み出しが可能となるようにディスクの回転速度を制御し、データ読み出しを行い、正常なデータ再生が可能か否かを確認する。
【０２１５】
また、（実施例１ｂ）ディスク全体の記録データの読み出しに必要となる最低読み出しレートをインデックステーブルの拡張データ記録領域に記録した実施例に相当するディスクを製造する場合は、以下の処理を実行する。
インデックステーブルの拡張データ記録領域に記録された最低読み出しレートを取得し、取得した読み出しレート以上のレートでデータ読み出しが可能となるようにディスクの回転速度を制御し、データ読み出しを行い、正常なデータ再生が可能か否かを確認する。
【０２１６】
また、（実施例２ａ）ディスク記録コンテンツについて、コンテンツ対応のタイトル単位の最低読み出しレートをインデックステーブルのタイトル対応情報記録領域に記録した実施例に相当するディスクを製造する場合は、以下の処理を実行する。
インデックステーブルのタイトル対応情報記録領域に記録されたタイトル対応の最低読み出しレートを取得し、取得した読み出しレート以上のレートでデータ読み出しが可能となるようにディスクの回転速度を制御し、タイトル対応データの読み出しを行い、正常なデータ再生が可能か否かを確認する。
【０２１７】
また、（実施例２ｂ）ディスク記録コンテンツについて、コンテンツ対応のタイトル単位の最低読み出しレートをプレイリストファイルのリザーブ領域に記録した実施例に相当するディスクを製造する場合は、以下の処理を実行する。
プレイリストファイルのリザーブ領域に記録されたタイトル対応の最低読み出しレートを取得し、取得した読み出しレート以上のレートでデータ読み出しが可能となるようにディスクの回転速度を制御し、タイトル対応データの読み出しを行い、正常なデータ再生が可能か否かを確認する。
【０２１８】
また、（実施例２ｃ）ディスク記録コンテンツについて、コンテンツ対応のタイトル単位の最低読み出しレートをプレイリストファイルの拡張データ記録領域に記録した実施例に相当するディスクを製造する場合は、以下の処理を実行する。
プレイリストファイルの拡張データ記録領域に記録されたタイトル対応の最低読み出しレートを取得し、取得した読み出しレート以上のレートでデータ読み出しが可能となるようにディスクの回転速度を制御し、タイトル対応データの読み出しを行い、正常なデータ再生が可能か否かを確認する。
【０２１９】
（実施例３）ディスク全体の記録データの読み出しに必要となる最低読み出しレートを記録し、さらに、ディスク記録コンテンツについて、コンテンツ対応のタイトル単位の最低読み出しレートを記録した実施例に相当するディスクを製造する場合は、以下の処理を実行する。
上記の実施例１ａ，１ｂのいずれかの実施例対応の処理と、実施例２ａ〜２ｂのいずれかの実施例対応の処理を実行して、正常なデータ再生が可能か否かを確認する。
【０２２０】
［７．情報処理装置の構成例について］
次に、ディスクの再生装置、記録装置、あるいは情報記録媒体製造装置として適用可能な情報処理装置のハードウェア構成例について、図２２を参照して説明する。
【０２２１】
ＣＰＵ（Ｃｅｎｔｒａｌ  Ｐｒｏｃｅｓｓｉｎｇ  Ｕｎｉｔ）３０１は、ＲＯＭ（Ｒｅａｄ  Ｏｎｌｙ  Ｍｅｍｏｒｙ）３０２、または記憶部３０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）３０３には、ＣＰＵ３０１が実行するプログラムやデータなどが記憶される。これらのＣＰＵ３０１、ＲＯＭ３０２、およびＲＡＭ３０３は、バス３０４により相互に接続されている。
【０２２２】
ＣＰＵ３０１はバス３０４を介して入出力インタフェース３０５に接続され、入出力インタフェース３０５には、各種スイッチ、キーボード、マウス、マイクロホンなどよりなる入力部３０６、ディスプレイ、スピーカなどよりなる出力部３０７が接続されている。ＣＰＵ３０１は、入力部３０６から入力される指令に対応して各種の処理を実行し、処理結果を例えば出力部３０７に出力する。
【０２２３】
入出力インタフェース３０５に接続されている記憶部３０８は、例えばハードディスク等からなり、ＣＰＵ３０１が実行するプログラムや各種のデータを記憶する。通信部３０９は、インターネットやローカルエリアネットワークなどのネットワークを介したデータ通信の送受信部、さらに放送波の送受信部として機能し、外部の装置と通信する。
【０２２４】
入出力インタフェース３０５に接続されているドライブ３１０は、磁気ディスク、光ディスク、光磁気ディスク、あるいはメモリカード等の半導体メモリなどのリムーバブルメディア３１１を駆動し、データの記録あるいは読み取りを実行する。
【０２２５】
なお、データの符号化あるいは復号は、データ処理部としてのＣＰＵ３０１の処理として実行可能であるが、符号化処理あるいは復号処理を実行するための専用ハードウェアとしてのコーデックを備えた構成としてもよい。
【０２２６】
［８．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０２２７】
なお、本明細書において開示した技術は、以下のような構成をとることができる。
（１）  ディスク記録データの再生処理を実行するデータ処理部を有し、
前記データ処理部は、
ディスクに記録された最低読み出しレート情報を読み取り、
前記最低読み出しレート以上のレートでデータ読み出しが可能となるようにディスク回転速度を制御し、
前記最低読み出しレート以上で、データ読み出しを実行する情報処理装置。
【０２２８】
（２）  前記ディスクに記録された最低読み出しレートは、
前記ディスクの記録データ全体に対応する最低読み出しレートであり、
前記データ処理部は、
前記ディスクに記録された全データの再生において、
前記最低読み出しレート以上のレートでデータ読み出しが可能となるようにディスク回転速度を制御し、
前記最低読み出しレート以上で、データ読み出しを実行する（１）に記載の情報処理装置。
【０２２９】
（３）  前記データ処理部は、
前記ディスクの記録データ全体に対応する最低読み出しレート情報を、
ディスクに記録されたインテックステーブルから取得する（２）に記載の情報処理装置。
【０２３０】
（４）  前記データ処理部は、
前記ディスクの記録データ全体に対応する最低読み出しレート情報を、
ディスクに記録されたインテックステーブルのリザーブ領域、または拡張データ記録領域から取得する（２）または（３）に記載の情報処理装置。
【０２３１】
（５）前記ディスクに記録された最低読み出しレートは、
前記ディスクの記録データに含まれる各タイトル対応のコンテンツ固有のタイトル対応最低読み出しレートであり、
前記データ処理部は、
前記ディスクから特定のタイトルを指定してタイトル対応コンテンツを再生する場合、
再生タイトル固有のタイトル対応最低読み出しレートを取得し、
取得した再生タイトル固有のタイトル対応最低読み出しレート以上のレートでデータ読み出しが可能となるようにディスク回転速度を制御し、
前記最低読み出しレート以上で、タイトル対応コンテンツの読み出しを実行する（１）〜（４）いずれかに記載の情報処理装置。
【０２３２】
（６）  前記データ処理部は、
前記タイトル対応最低読み出しレート情報を、
ディスクに記録されたインテックステーブルから取得する（５）に記載の情報処理装置。
【０２３３】
（７）  前記データ処理部は、
前記タイトル対応最低読み出しレート情報を、
ディスクに記録されたプレイリストファイルのリザーブ領域、または拡張データ記録領域から取得する（５）に記載の情報処理装置。
【０２３４】
（８）  ディスク製造処理におけるデータ処理を実行するデータ処理部を有し、
前記データ処理部は、
製造ディスクに対する記録データに含まれる最低読み出しレート情報を読み取り、
読み取った最低読み出しレート情報に応じて、該最低読み出しレート以上のレートでデータ読み出しが可能となるようにディスク回転速度を制御し、
前記最低読み出しレート以上で、データを読み出す記録データ再生試験を実行する情報処理装置。
【０２３５】
（９）  前記ディスクに記録される最低読み出しレートは、
前記ディスクの記録データ全体に対応する最低読み出しレートであり、
前記データ処理部は、
前記ディスクに記録した全データの再生試験において、
前記最低読み出しレート以上のレートでデータ読み出しが可能となるようにディスク回転速度を制御し、
前記最低読み出しレート以上で、データを読み出す記録データ再生試験を実行する（８）に記載の情報処理装置。
【０２３６】
（１０）  前記ディスクに記録された最低読み出しレートは、
前記ディスクの記録データに含まれる各タイトル対応のコンテンツ固有のタイトル対応最低読み出しレートであり、
前記データ処理部は、
前記ディスクに記録した特定のタイトル対応コンテンツの再生試験において、
再生タイトル固有のタイトル対応最低読み出しレートを取得し、
取得した再生タイトル固有のタイトル対応最低読み出しレート以上のレートでデータ読み出しが可能となるようにディスク回転速度を制御し、
前記最低読み出しレート以上で、タイトル対応コンテンツを読み出す記録データ再生試験を実行する（８）に記載の情報処理装置。
【０２３７】
（１１）  再生対象データと、
前記再生対象データに対応した管理データを記録データとして格納し、
前記管理データには、
ディスクに記録されたデータに対応する最低読み出しレート情報を含み、
前記ディスクからのデータ再生処理を実行する再生装置が、
ディスクから前記最低読み出しレートを取得し、
前記最低読み出しレート以上のレートでデータ読み出しが可能となるようにディスク回転速度を制御し、
前記最低読み出しレート以上で、データ読み出しを実行することを可能とした情報記録媒体。
【０２３８】
（１２）  情報処理装置において実行する情報処理方法であり、
前記情報処理装置は、ディスク記録データの再生処理を実行するデータ処理部を有し、
前記データ処理部は、
ディスクに記録された最低読み出しレート情報を読み取り、
前記最低読み出しレート以上のレートでデータ読み出しが可能となるようにディスク回転速度を制御し、
前記最低読み出しレート以上で、データ読み出しを実行する情報処理方法。
【０２３９】
（１３）  情報処理装置において情報処理を実行させるプログラムであり、
前記情報処理装置は、ディスク記録データの再生処理を実行するデータ処理部を有し、
前記プログラムは、前記データ処理部に、
ディスクに記録された最低読み出しレート情報を読み取る処理と、
前記最低読み出しレート以上のレートでデータ読み出しが可能となるようにディスク回転速度を制御する処理と、
前記最低読み出しレート以上でのデータ読み出し処理を実行させるプログラム。
【０２４０】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２４１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２４２】
以上、説明したように、本開示の一実施例の構成によれば、ディスクの記録データの最低読み出しレート情報に基づいて、ディスクの回転速度制御、およびデータ再生処理制御を行なうことで、消費電力や騒音を低減した正常なコンテンツ再生が実現される。
具体的には、ディスクからのデータ再生を実行する再生装置が、ディスクに記録された最低読み出しレート情報を読み取り、最低読み出しレート以上のレートでデータ読み出しが可能となるようにディスク回転速度を制御し、最低読み出しレート以上で、データ読み出しを実行する。例えば、ディスク記録データ全体に対応する最低読み出しレート情報、あるいはタイトル単位の最低読み出しレート情報を取得して、取得した最低読み出しレート情報に基づいてディスク記録データ全体、またはタイトル単位のディスク回転速度および再生制御を実行する。
本構成に従って、最低読み出しレート情報に基づくディスクの回転速度制御、およびデータ再生処理制御を行なうことで、消費電力や騒音を低減した正常なコンテンツ再生が実現される。
【符号の説明】
【０２４３】
１１１  低読み出しレート（ＬＴＲ）ゾーン
１２１  低読み出しレート（ＬＴＲ）ゾーン
１２２  高読み出しレート（ＨＴＲ）ゾーン
２００  情報記録媒体（ディスク）
２０１  管理情報設定部
２０２  データ部
３０１  ＣＰＵ
３０２  ＲＯＭ
３０３  ＲＡＭ
３０４  バス
３０５  入出力インタフェース
３０６  入力部
３０７  出力部
３０８  記憶部
３０９  通信部
３１０  ドライブ
３１１  リムーバブルメディア
【図１】
2016085771.tif 000003
【図２】
2016085771.tif 000004
【図３】
2016085771.tif 000005
【図４】
2016085771.tif 000006
【図５】
2016085771.tif 000007
【図６】
2016085771.tif 000008
【図７】
2016085771.tif 000009
【図８】
2016085771.tif 000010
【図９】
2016085771.tif 000011
【図１０】
2016085771.tif 000012
【図１１】
2016085771.tif 000013
【図１２】
2016085771.tif 000014
【図１３】
2016085771.tif 000015
【図１４】
2016085771.tif 000016
【図１５】
2016085771.tif 000017
【図１６】
2016085771.tif 000018
【図１７】
2016085771.tif 000019
【図１８】
2016085771.tif 000020
【図１９】
2016085771.tif 000021
【図２０】
2016085771.tif 000022
【図２１】
2016085771.tif 000023
【図２２】
2016085771.tif 000024